(57)【特許請求の範囲】
【請求項１】
自然蓄熱体（１００）の熱エネルギーを底部に設置される加熱器（１０１）の中を流れる熱交換流体（１０４）に対して伝達し、また均熱後の熱交換流体（１０４）の冷却による液化または加熱による気化、または補助流体ポンプ（１０７）の圧送を通して、加熱器（１０１）の中の熱交換流体（１０４）は、一方のパイプ（４０１）の流体出入口（４０１１）を経て、カバー（２１１、２１２、２１３）内部の閉鎖空間において全方位又は特定の方向に熱エネルギーを放出し、その特徴は、
（１）一方のパイプ（４０１）の流体出入口（４０１１）と他方のパイプ（３０１）の流体出入口（３０１２）との間に、閉鎖空間を形成するカバー（２１１、２１２、２１３）を設置することによって、一方のパイプ（４０１）の流体出入口（４０１１）から放出される熱エネルギーを有する熱交換流体（１０４）はカバー（２１１、２１２、２１３）内の閉鎖空間を流れ、流体出入口（４０１１）から放出される熱交換流体（１０４）の全部または一部のみを他方のパイプ（３０１）の流体出入口（３０１２）を通って加熱器（１０１）に還流し、
（２）加熱器（１０１）、他方のパイプ（３０１）、閉鎖空間を形成するカバー（２１１、２１２、２１３）、一方のパイプ（４０１）を連続的に設置することにより、オープンループの流路を構成し、オープンループの流路の１箇所又は１箇所以上の曲がる箇所に外に向って拡張する屈折部（１０８）を備え、一部の熱交換流体（１０４）を一時的に保存し、また熱エネルギーを有する熱交換流体（１０４）の流速を緩めることにより、熱交換流体（１０４）に対する流路の流動抵抗を下げ、
以下の（３）〜（７）の中の一種又は一種以上の構造・装置をさらに備え、
（３）温度調節装置（１１５）、
（４）補助流体ポンプ（１０７）、
（５）熱交換流体温度検出器（ＴＳ２０１）、
（６）周囲温度センサ（ＴＳ２０２）、
（７）電気エネルギー制御装置（ＥＣＵ２００）、
また、カバー（２１１、２１２、２１３）は、
ａ．自然蓄熱体（１００）の外部空間（１０３）の一部を区画し、熱交換流体（１０４）を誘導可能であって、密閉状態の閉鎖空間を形成するカバー（２１１）、
ｂ．自然蓄熱体（１００）の外部空間（１０３）の一部を区画し、熱交換流体（１０４）を誘導または外部に対して流体を交換可能であって、半密閉状態の閉鎖空間を形成するカバー（２１２）、
ｃ．自然蓄熱体（１００）の外部空間（１０３）の一部を区画し、熱交換流体（１０４）の流向を誘導し開閉を制御することにより、閉鎖空間を密閉状態または半密閉状態にすることが可能なドアを有するカバー（２１３）、
のいずれかひとつであり、
さらに、外部空間（１０３）のうち、上記ａ、ｂ、ｃで特定されるカバー（２１１、２１２、２１３）で区画される各前記閉鎖空間を除く空間は、
路面、建物の屋上、壁、床の外部に存在する空間と、
温室内空気または家屋内空気で構成される気体を含む自然蓄熱体（１００）の外部に存在する空間と、
池中または槽の中または容器内の液体で構成される液体を含む自然蓄熱体（１００）の外部に存在する空間と、
加温または耐寒防凍の施設または構造体の外部に存在する空間とを含み、
固定された建築物であるビル、温室を含む建物の中の空間と、
移動可能な建築物である船、浮体式作業台、及び水上建築物の中の空間とを含まないことを特徴とする熱エネルギー放出装置。
【請求項２】
直線状の他方のパイプ（３０１）と加熱器（１０１）との間に、屈折部（１０８）を設けることにより、上方に向って傾斜する加熱器（１０１）と一方のパイプ（４０１）へ通じる加熱器（１０１）は、自然蓄熱体（１００）に設置され、自然蓄熱体（１００）はより大きくかつ安定な貯熱容量を持つ地層、地表、池、湖、河川、沙漠、氷山、海洋等の固体又は液体状の蓄熱体によって構成され、
加熱器（１０１）の流体出入口（１０１１）は、他方のパイプ（３０１）を経て、流体出入口（３０１２）及び流体出入口カバー部（１０１０）へ通じ、加熱器（１０１）の別の流体出入口（１０１２）は、一方のパイプ（４０１）の流体出入口（４０１１）及び流体出入口カバー部（１０１０）を経て、自然蓄熱体（１００）の外部空間（１０３）へ通じ、加熱器（１０１）を流れる熱交換流体（１０４）は、他方のパイプ（３０１）、一方のパイプ（４０１）及び自然蓄熱体（１００）の外部空間（１０３）により一部が還流するオープンループの流路を構成し、また自然蓄熱体（１００）の外部空間（１０３）に対して熱エネルギーを放出し、熱交換流体（１０４）は、蓄熱及び熱伝導特性を備える気体又は液体（流体）によって構成されることを含み、自然蓄熱体（１００）の外部空間（１０３）は気体、固体、又は液体によって構成される特定の機能を持つ空間であって、システム作動時、熱交換流体から放出される熱エネルギーを受け、
その構成の特徴は次の通りであって、
加熱器（１０１）は、高熱伝導性材料によって構成され、一流路又は一流路以上が一体化した構造を備え、或いは一流路又は一流路以上の流路が一体化した導管によって構成され、その構造の断面は円形又は他の幾何形状の断面を呈する管状であって、その内部又は外部を更に一歩進ませ、流体の流動の邪魔にならない導熱羽根を自然蓄熱体（１００）の中に上方に向って傾斜するように設置することができ、加熱器（１０１）の流路両端に設けた流体出入口（１０１１）、（１０１２）を別々に他方のパイプ（３０１）及び一方のパイプ（４０１）の一端と連結し、自然蓄熱体（１００）の外部空間（１０３）へ通じることによって、一部が還流するオープンループの流路を構成し、一部が水平に設けられている加熱器（１０１）内部の流路において、上方に向って傾斜する位置が比較的低い側にある流体出入口（１０１１）に相対的に低温である熱交換流体（１０４）が流入し、比較的高い側にある流体出入口（１０１２）に相対的高温である熱交換流体（１０４）が流出し、熱交換流体（１０４）に合わせて拡熱昇・凝冷降作用を行い、
他方のパイプ（３０１）は、一流路又は一流路以上の流体パイプを備え、円形又は他の幾何形状パイプを呈し、そのパイプの断面は円形又は他の幾何形状を呈し、他方のパイプ（３０１）は以下の一種又は一種以上の方式によって構成され、（１）高熱伝導特性を備える材料によって構成され、（２）高熱伝導特性を備える材料によって構成され、またその全部又は一部の配管セグメントの外部を断熱体（１０９）で覆われ、（３）高断熱性を備える材料から形成される管状部材又は組み立て部材によって構成され、他方のパイプ（３０１）の一端は一個又は一個以上の流体出入口（３０１１）を備え、一流路又は一流路以上の流路の加熱器（１０１）を備える流体出入口（１０１１）と連通し、他方のパイプ（３０１）の他端は、一個又は一個以上の一体構造である流体出入口（３０１２）を備え、流体出入口カバー部（１０１０）に通じることにより、熱交換流体（１０４）を伝送し、
一方のパイプ（４０１）は、一流路又は一流路以上の流路の流体パイプを備え、円形又は他の幾何形状パイプを呈し、パイプの断面は円形又は他の幾何形状を呈し、一方のパイプ（４０１）は以下の一種又は一種以上の方式によって構成され、（１）高熱伝導特性を備える材料によって構成され、（２）高熱伝導特性を備える材料によって構成され、またその全部又は一部の配管セグメントの外部を断熱体（１０９）で覆われ、（３）高断熱性を備える材料から形成される管状部材又は組み立て部材によって構成され、一方のパイプ（４０１）の一端は一個又は一個以上の流体出入口（４０１２）を備え、一流路又は一流路以上の流路の加熱器（１０１）を備える流体出入口（１０１２）と連通し、一方のパイプ（４０１）の他端は、一個又は一個以上の流体出入口（４０１１）を備え、流体出入口カバー部（１０１０）に通じることにより、熱交換流体（１０４）を伝送し、
屈折部（１０８）は、加熱器（１０１）、他方のパイプ（３０１）、自然蓄熱体（１００）の外部空間（１０３）、一方のパイプ（４０１）を連続的に設置することによりオープンループの流路を構成し、オープンループの流路の１箇所又は１箇所以上の曲がる箇所に外に向って拡張する屈折部を構成し、一部の熱交換流体（１０４）を一時的に保存し、及び熱エネルギーを備える熱交換流体（１０４）の流速を緩めることにより、熱交換流体（１０４）に対する流路の流動抵抗を下げ、
上述した加熱器（１０１）の流体出入口端に設置される屈折部（１０８）の近隣に貯蔵される流体の体積は相対的に大きいために、総熱容量は比較的大きく、加熱器（１０１）の外部と接触した自然蓄熱体（１００）の外部から熱エネルギーを導入し、流体を経て両側に向って伝導するとき、加熱器（１０１）の屈折部（１０８）を設置している一端での流体の温度変化は比較的小さく、屈折部（１０８）を設置していない他端での温度変化が比較的大きいために、加熱器（１０１）の出入り口の両端に温度差を形成し、
少なくとも一個の加熱器（１０１）と少なくとも一個の他方のパイプ（３０１）と少なくとも一個の一方のパイプ（４０１）を含み、その加熱器（１０１）、他方のパイプ（３０１）と一方のパイプ（４０１）は、一体構造又は複数のパーツを組み立てることを含み、各連接箇所の寸法及び形状との間の構造は少しずつ変形し、また平滑形状により、流体が流れるときの抵抗が減少することを特徴とする請求項１に記載の熱エネルギー放出装置。
【請求項３】
直線状の他方のパイプ（３０１）と加熱器（１０１）との間に、屈折部（１０８）を設けることにより、鉛直方向に設けられる加熱器（１０１）と一方のパイプ（４０１）へ通じ、加熱器（１０１）は、自然蓄熱体（１００）に設置され、自然蓄熱体（１００）はより大きくかつ安定な貯熱容量を持つ地層、地表、池、湖、河川、沙漠、氷山、海洋等の固体又は液体状の蓄熱体によって構成され、
加熱器（１０１）の流体出入口（１０１１）は、他方のパイプ（３０１）を経て、流体出入口（３０１２）及び流体出入口カバー部（１０１０）へ通じ、加熱器（１０１）の別の流体出入口（１０１２）は、一方のパイプ（４０１）の流体出入口（４０１１）及び流体出入口カバー部（１０１０）を経て、自然蓄熱体（１００）の外部空間（１０３）へ通じ、加熱器（１０１）を流れる熱交換流体（１０４）は、他方のパイプ（３０１）及び自然蓄熱体（１００）の外部空間（１０３）により一部が還流するオープンループの流路を構成し、また自然蓄熱体（１００）の外部空間（１０３）に対して熱エネルギーを放出し、熱交換流体（１０４）は、蓄熱及び熱伝導特性を備える気体又は液体（流体）によって構成されることを含み、自然蓄熱体（１００）の外部空間（１０３）は気体、固体、又は液体によって構成される特定の機能を持つ空間であって、システム作動時、熱交換流体から放出される熱エネルギーを受け、
その構成の特徴は次の通りであって、
加熱器（１０１）は、高熱伝導性材料によって構成され、一流路又は一流路以上が一体化した構造を備え、或いは一流路又は一流路以上の流路が一体化した導管によって構成され、その構造の断面は円形又は他の幾何形状の断面を呈する管状であって、その内部又は外部を更に一歩進ませ、流体の流動の邪魔にならない導熱羽根を自然蓄熱体（１００）の中に垂直に設置することができ、加熱器（１０１）の流路両端に設けた流体出入口（１０１１）、（１０１２）を別々に他方のパイプ（３０１）及び一方のパイプ（４０１）の一端と連結し、自然蓄熱体（１００）の外部空間（１０３）へ通じることによって、一部が還流するオープンループの流路を構成し、一部が水平に設けられている加熱器（１０１）内部の流路において、垂直に設置する位置が比較的低い側にある流体出入口（１０１１）に相対的に低温である熱交換流体（１０４）が流入し、比較的高い側にある流体出入口（１０１２）に相対的高温である熱交換流体（１０４）が流出し、熱交換流体（１０４）に合わせて拡熱昇・凝冷降作用を行い、
他方のパイプ（３０１）は、一流路又は一流路以上の流体パイプを備え、円形又は他の幾何形状パイプを呈し、そのパイプの断面は円形又は他の幾何形状を呈し、他方のパイプ（３０１）は以下の一種又は一種以上の方式によって構成され、（１）高熱伝導特性を備える材料によって構成され、（２）高熱伝導特性を備える材料によって構成され、またその全部又は一部の配管セグメントの外部を断熱体（１０９）で覆われ、（３）高断熱性を備える材料から形成される管状部材又は組み立て部材によって構成され、他方のパイプ（３０１）の一端は一個又は一個以上の流体出入口（３０１１）を備え、一流路又は一流路以上の流路の加熱器（１０１）を備える流体出入口（１０１１）と連通し、他方のパイプ（３０１）の他端は、一個又は一個以上の一体構造である流体出入口（３０１２）を備え、流体出入口カバー部（１０１０）に通じることにより、熱交換流体（１０４）を伝送し、
一方のパイプ（４０１）は、一流路又は一流路以上の流路の流体パイプを備え、円形又は他の幾何形状パイプを呈し、パイプの断面は円形又は他の幾何形状を呈し、一方のパイプ（４０１）は以下の一種又は一種以上の方式によって構成され、（１）高熱伝導特性を備える材料によって構成され、（２）高熱伝導特性を備える材料によって構成され、またその全部又は一部の配管セグメントの外部を断熱体（１０９）で覆われ、（３）高断熱性を備える材料から形成される管状部材又は組み立て部材によって構成され、一方のパイプ（４０１）の一端は一個又は一個以上の流体出入口（４０１２）を備え、一流路又は一流路以上の流路の加熱器（１０１）を備える流体出入口（１０１２）と連通し、一方のパイプ（４０１）の他端は、一個又は一個以上の流体出入口（４０１１）を備え、流体出入口カバー部（１０１０）に通じることにより、熱交換流体（１０４）を伝送し、
屈折部（１０８）は、加熱器（１０１）、他方のパイプ（３０１）、自然蓄熱体（１００）の外部空間（１０３）、一方のパイプ（４０１）を連続的に設置することによりオープンループの流路を構成し、オープンループの流路の１箇所又は１箇所以上の曲がる箇所に外に向って拡張する屈折部を構成し、一部の熱交換流体（１０４）を一時的に保存し、及び熱エネルギーを備える熱交換流体（１０４）の流速を緩めることにより、熱交換流体（１０４）に対する流路の流動抵抗を下げ、
上述した加熱器（１０１）の流体出入口端に設置される屈折部（１０８）の近隣に貯蔵される流体の体積は相対的に大きいために、総熱容量は比較的大きく、加熱器（１０１）の外部と接触した自然蓄熱体（１００）の外部から熱エネルギーを送り込み、流体を経て両側に向って伝導するとき、加熱器（１０１）の屈折部（１０８）を設置している一端での流体の温度変化は比較的小さく、屈折部（１０８）を設置していない他端での温度変化が比較的大きいために、加熱器（１０１）の出入り口の両端に温度差を形成し、
少なくとも一個の加熱器（１０１）と少なくとも一個の他方のパイプ（３０１）と少なくとも一個の一方のパイプ（４０１）を含み、その加熱器（１０１）、他方のパイプ（３０１）と一方のパイプ（４０１）は、一体構造又は複数のパーツを組み立てることを含み、各連接箇所の寸法及び形状との間の構造は少しずつ変形し、また平滑形状により、流体が流れるときの抵抗が減少することを特徴とする請求項１に記載の熱エネルギー放出装置。
【請求項４】
円弧状の他方のパイプ（３０１）と加熱器（１０１）との間に、屈折部（１０８）を設けることにより、上方に向って傾斜する加熱器（１０１）と円弧状の一方のパイプ（４０１）へ通じ、加熱器（１０１）は、自然蓄熱体（１００）に設置され、自然蓄熱体（１００）はより大きくかつ安定な貯熱容量を持つ地層、地表、池、湖、河川、沙漠、氷山、海洋等の固体又は液体状の蓄熱体によって構成され、
加熱器（１０１）の流体出入口（１０１１）は、他方のパイプ（３０１）を経て、流体出入口（３０１２）及び流体出入口カバー部（１０１０）へ通じ、加熱器（１０１）の別の流体出入口（１０１２）は、一方のパイプ（４０１）の流体出入口（４０１１）及び流体出入口カバー部（１０１０）を経て、自然蓄熱体（１００）の外部空間（１０３）へ通じ、加熱器（１０１）を流れる熱交換流体（１０４）は、他方のパイプ（３０１）、一方のパイプ（４０１）及び自然蓄熱体（１００）の外部空間（１０３）により一部が還流するオープンループの流路を構成し、また自然蓄熱体（１００）の外部空間（１０３）に対して熱エネルギーを放出し、熱交換流体（１０４）は、蓄熱及び熱伝導特性を備える気体又は液体（流体）によって構成されることを含む、自然蓄熱体（１００）の外部空間（１０３）は気体、固体、又は液体によって構成される特定の機能を持つ空間であって、システム作動時、熱交換流体から放出される熱エネルギーを受け、
その構成の特徴は次の通りであって、
加熱器（１０１）は、高熱伝導性材料によって構成され、一流路又は一流路以上が一体化した構造を備え、或いは一流路又は一流路以上の流路が一体化した導管によって構成され、その構造の断面は円形又は他の幾何形状の断面を呈する管状であって、その内部又は外部を更に一歩進ませ、流体の流動の邪魔にならない導熱羽根を自然蓄熱体（１００）の中に上方に向って傾斜するように設置することができ、加熱器（１０１）の流路両端に設けた流体出入口（１０１１、１０１２）を別々に他方のパイプ（３０１）及び一方のパイプ（４０１）の一端と連結し、自然蓄熱体（１００）の外部空間（１０３）へ通じることによって、一部が還流するオープンループの流路を構成し、一部が水平に設けられている加熱器（１０１）内部の流路において、上方に向って傾斜する位置が比較的低い側にある流体出入口（１０１１）に相対的に低温である熱交換流体（１０４）が流入し、比較的高い側にある流体出入口（１０１２）に相対的高温である熱交換流体（１０４）が流出し、熱交換流体（１０４）に合わせて拡熱昇・凝冷降作用を行い、
他方のパイプ（３０１）は、一流路又は一流路以上の流体パイプを備え、円形又は他の幾何形状パイプを呈し、そのパイプの断面は円形又は他の幾何形状を呈し、他方のパイプ（３０１）は以下の一種又は一種以上の方式によって構成され、（１）高熱伝導特性を備える材料によって構成され、（２）高熱伝導特性を備える材料によって構成され、またその全部又は一部の配管セグメントの外部を断熱体（１０９）で覆われ、（３）高断熱性を備える材料から形成される管状部材又は組み立て部材によって構成され、他方のパイプ（３０１）の一端は一個又は一個以上の流体出入口（３０１１）を備え、一流路又は一流路以上の流路の加熱器（１０１）を備える流体出入口（１０１１）と連通し、他方のパイプ（３０１）の他端は、一個又は一個以上の一体構造である流体出入口（３０１２）を備え、流体出入口カバー部（１０１０）に通じることにより、熱交換流体（１０４）を伝送し、
一方のパイプ（４０１）は、一流路又は一流路以上の流路の流体パイプを備え、円形又は他の幾何形状パイプを呈し、パイプの断面は円形又は他の幾何形状を呈し、一方のパイプ（４０１）は以下の一種又は一種以上の方式によって構成され、（１）高熱伝導特性を備える材料によって構成され、（２）高熱伝導特性を備える材料によって構成され、またその全部又は一部の配管セグメントの外部を断熱体（１０９）で覆われ、（３）高断熱性を備える材料から形成される管状部材又は組み立て部材によって構成され、一方のパイプ（４０１）の一端は一個又は一個以上の流体出入口（４０１２）を備え、一流路又は一流路以上の流路の加熱器（１０１）を備える流体出入口（１０１２）と連通し、一方のパイプ（４０１）の他端は、一個又は一個以上の流体出入口（４０１１）を備え、流体出入口カバー部（１０１０）に通じることにより、熱交換流体（１０４）を伝送し、
屈折部（１０８）は、加熱器（１０１）、他方のパイプ（３０１）、自然蓄熱体（１００）の外部空間（１０３）、一方のパイプ（４０１）を連続的に設置することによりオープンループの流路を構成し、オープンループの流路の１箇所又は１箇所以上の曲がる箇所に外に向って拡張する屈折部を構成し、一部の熱交換流体（１０４）を一時的に保存し、及び熱エネルギーを備える熱交換流体（１０４）の流速を緩めることにより、熱交換流体（１０４）に対する流路の流動抵抗を下げ、
上述した加熱器（１０１）の流体出入口端に設置される屈折部（１０８）の近隣に貯蔵される流体の体積は相対的に大きいために、総熱容量は比較的大きく、加熱器（１０１）の外部と接触した自然蓄熱体（１００）の外部から熱エネルギーを送り込み、流体を経て両側に向って伝導するとき、加熱器（１０１）の屈折部（１０８）を設置している一端での流体の温度変化は比較的小さく、屈折部（１０８）を設置していない他端での温度変化が比較的大きいために、加熱器（１０１）の出入り口の両端に温度差を形成し、
上述した熱エネルギー放出装置は、少なくとも一個の加熱器（１０１）、自然蓄熱体（１００）の外部空間（１０３）、と少なくとも一個の他方のパイプ（３０１）と少なくとも一個の一方のパイプ（４０１）により一部が還流するオープンループの流路を構成することを含み、その加熱器（１０１）、他方のパイプ（３０１）と一方のパイプ（４０１）は、一体構造又は複数のパーツを組み立てることを含み、各連接箇所の寸法及び形状との間の構造は少しずつ変形し、また平滑形状により、流体が流れるときの抵抗が減ることを特徴とする請求項１に記載の熱エネルギー放出装置。
【請求項５】
直線状の他方のパイプ（３０１）を備え、及び少なくとも二個の熱エネルギー放出装置の一方のパイプ（４０１）を自然蓄熱体（１００）に交差するように設置し、各熱エネルギー放出装置の底部は屈折部（１０８）を備え、自然蓄熱体（１００）の中に設置される上方に向って傾斜する加熱器（１０１）へ通じることを特徴とする請求項２に記載の熱エネルギー放出装置。
【請求項６】
一体にした一方のパイプ（４０１）を備え、構成は次の通りであって、
二個または二個以上の接続部が放射状に径方向に展開する他方のパイプ（３０１）を備え、その各接続部の底側には屈折部（１０８）を備え、個別の屈折部（１０８）の流体出入口（３０１１）は、上方に向って傾斜する加熱器（１０１）の流体出入口（１０１１）へ通じ、更に加熱器（１０１）の流体出入口（１０１２）と共用する一方のパイプ（４０１）の流体出入口（４０１２）とを連結し、その中の個別に放射状に垂直分布し一方のパイプ（４０１）と共用する周辺の他方のパイプ（３０１）のそれぞれの底部は、個別の屈折部（１０８）へ通じ、また個別の屈折部（１０８）の流体出入口（３０１１）から上方に向って傾斜する加熱器（１０１）の流体出入口（１０１１）に通じ、更に加熱器（１０１）の流体出入口（１０１２）から、一方のパイプ（４０１）を経て、流体出入口（４０１１）へ通じることを特徴とする請求項２に記載の熱エネルギー放出装置。
【請求項７】
一体にした他方のパイプ（３０１）を備え、構成は次の通りであって、
共用する他方のパイプ（３０１）を備え、その接続部の底側には屈折部（１０８）を備え、屈折部（１０８）の個別の流体出入口（３０１１）は、上方に向って傾斜する加熱器（１０１）の流体出入口（１０１１）へ通じ、更に加熱器（１０１）の流体出入口（１０１２）と二個または二個以上の接続部が放射状に径方向に展開する一方のパイプ（４０１）の流体出入口（４０１２）とを連結し、その中にある個別の流体出入口（３０１１）は、共用する他方のパイプ（３０１）の底部に設置され屈折部（１０８）から、個別の分岐経路がそれぞれ放射状に径方向に流体出入口（３０１１）を経て、個別の加熱器（１０１）の流体出入口（１０１１）へ通じ、更に加熱器（１０１）の流体出入口（１０１２）から個別に垂直に設置する他方のパイプ（３０１）を経て、個別の流体出入口（３０１２）へ通じることを特徴とする請求項２に記載の熱エネルギー放出装置。
【請求項８】
一体にした一方のパイプ（４０１）及び加熱器（１０１）を備え、構成は次の通りであって、
二個または二個以上の接続部が放射状に径方向に展開する他方のパイプ（３０１）を備え、その各接続部の底側は共同して屈折部（１０８）へ通じ、更に屈折部（１０８）の流体出入口（３０１１）により共用する鉛直方向に設けられる加熱器（１０１）の流体出入口（１０１１）へ通じてから、また共用する加熱器（１０１）の流体出入口（１０１２）と共用する一方のパイプ（４０１）の流体出入口（４０１２）を連結し、その中の放射状に展開する他方のパイプ（３０１）の個別接続部の底部は共用する屈折部（１０８）へ通じ、更に屈折部（１０８）により上に向って、共用する加熱器（１０１）へ通じ、また上に向って、共用する一方のパイプ（４０１）を経て、流体出入口（４０１１）へ通じることを特徴とする請求項３に記載の熱エネルギー放出装置。
【請求項９】
一体にした他方のパイプ（３０１）を備え、構成は次の通りであって、
共用する他方のパイプ（３０１）を備え、他方のパイプ（３０１）の底部は二個または二個以上の放射状に径方向に展開する個別の分岐経路を備え、個別にそれと連結している屈折部（１０８）へ通じ、更に屈折部（１０８）の流体出入口（３０１１）により鉛直方向に設けられる加熱器（１０１）の流体出入口（１０１１）へ通じ、また加熱器（１０１）の流体出入口（１０１２）と一方のパイプ（４０１）の流体出入口（４０１２）を連結し、その中の共同利用する他方のパイプ（３０１）の底部は、放射状に展開する個別の分岐経路を備え、個別に屈折部（１０８）へ通じ、更に個別の屈折部（１０８）は、垂直に設置する加熱器（１０１）へ通じ、また加熱器（１０１）は、垂直に設置する一方のパイプ（４０１）を経て、流体出入口（４０１１）へ通じることを特徴とする請求項３に記載の熱エネルギー放出装置。
【請求項１０】
円弧状の他方のパイプ（３０１）を備え、少なくとも二個の熱エネルギー放出装置のパイプ（３０１または４０１）を自然蓄熱体（１００）に交差するように設置され、各熱エネルギー放出装置の底部は屈折部（１０８）を備え、自然蓄熱体（１００）の中に設置される上方に向って傾斜する加熱器（１０１）へ通じ、その中の各組の熱エネルギー放出装置の加熱器（１０１）は、自然蓄熱体（１００）の中に交差するように設置することを特徴とする請求項４に記載の熱エネルギー放出装置。
【請求項１１】
加熱器（１０１）と一方のパイプ（４０１）によって構成される流路セグメントの内部に補助流体ポンプ（１０７）を設置し、及び内部又は外部に温度調節装置（１１５）を設置し、二者又はその中の一つを設置し、
補助流体ポンプ（１０７）は、電源コード（１１８）を通して、外部から電気エネルギーを送り込み、モータに駆動される液体ポンプ又は自然力に駆動される液体ポンプを駆動し、上述したオープンループの流路に連続的に設置することにより、熱交換流体（１０４）を圧送し、補助流体ポンプ（１０７）を固定に一方向にポンピングさせ、又はポンピングの方向、電源オン／オフ、変速、ポンピングボリューム制御を選択することを含み、
その稼動機能は下記を含み、補助流体ポンプ（１０７）を起動しないようにし、熱交換流体（１０４）が冷却による液化または加熱による気化により循環し、又は補助流体ポンプ（１０７）の制御を主動的に行い、正方向にポンピングさせ、また冷却により液化または加熱により気化した熱交換流体（１０４）が流れる方向と同じ方向の補助ポンプとし、又は補助流体ポンプ（１０７）の制御を主動的に行い、逆方向にポンピング、また冷却により液化または加熱により気化した熱交換流体（１０４）が流れる方向と逆方向にポンピングし、熱交換流体（１０４）を逆方向に圧送し、冷却により液化または加熱により気化し、
温度調節装置（１１５）は、電源コード（１１６）が供給する電気エネルギーに駆動され、電気エネルギーを熱エネルギーに変換する電熱装置によって構成され、又は電気エネルギーを熱エネルギーに変換し、又は電気エネルギーを冷エネルギーに変換する温度調節装置によって構成されることを含み、又は電気エネルギーを熱エネルギーに変換し、又は冷却する半導体チップによって構成され、流路の中に冷却により液化または加熱により気化する熱交換流体（１０４）が流動する運動エネルギーに協力し、かつ相対的に熱交換流体（１０４）の流動の邪魔にならない位置に設置され、その設置方式は以下の一種又は一種以上の方式を含み、（１）オープンループの流路の中に固定され、（２）一方のパイプ（４０１）、加熱器（１０１）の中にランダムに設置し、（３）伝熱材料により構成される一部が還流するオープンループの流路の外部を取り囲む又は局部に設置し、間接的に流路内部の熱交換流体（１０４）に対して加熱又は冷却することを特徴とする請求項１に記載の熱エネルギー放出装置。
【請求項１２】
補助流体ポンプ（１０７）、温度調節装置（１１５）の二者又はその中の一つを設置し、及び熱交換流体温度検出器（ＴＳ２０１）、周囲温度センサ（ＴＳ２０２）の二者又はその中の一つを設置し、その中の補助流体ポンプ（１０７）、温度調節装置（１１５）、熱交換流体温度検出器（ＴＳ２０１）、周囲温度センサ（ＴＳ２０２）は、人力による読み取りを通して、送電状態を制御し、又は電気エネルギー制御装置（ＥＣＵ２００）を設置することにより、送電状態を制御し、
一部が還流するオープンループの流路に設置される一個又は一個以上の熱交換流体温度検出器（ＴＳ２０１）を通して、また信号伝送用ケーブル（１２０）を通して、熱交換流体の温度の測定値を電気エネルギー制御装置（ＥＣＵ２００）へ伝送し、及び周囲温度センサ（ＴＳ２０２）を設置し、信号伝送用ケーブル（１２０）を通して、温度測定信号を電気エネルギー制御装置（ＥＣＵ２００）にフィードバックさせ、また電気エネルギー制御装置（ＥＣＵ２００）により内部設定と熱交換流体温度検出器（ＴＳ２０１）と周囲温度センサ（ＴＳ２０２）のフィードバック信号を参照することによって、補助流体ポンプ（１０７）の送電開始時期と圧送流量の大きさと流れの方向を制御し、
電気エネルギー制御装置（ＥＣＵ２００）は、電子部品又は電子回路部品、又はマイクロプロセッサ及び関連ソフトウェアによって構成され、内部に起動パラメータが設定されることによって、熱交換流体温度検出器（ＴＳ２０１）、周囲温度センサ（ＴＳ２０２）から来る信号を参照し、補助流体ポンプ（１０７）に対して、送電開始時期、圧送流量の大きさおよび流れの方向を制御し、
熱交換流体温度検出器（ＴＳ２０１）、周囲温度センサ（ＴＳ２０２）は、一個又は一個以上の温度変化をアナログ又はデジタル電気エネルギー信号に変換する温度検出器によって構成され、一部が還流するオープンループの流路に選定する温度検知点又は周囲温度検知点に設置され、信号伝送用ケーブル（１２０）により信号を電気エネルギー制御装置（ＥＣＵ２００）に伝送することを特徴とする請求項１に記載の熱エネルギー放出装置。
【発明の詳細な説明】
【技術分野】
【０００１】
本発明は、自然蓄熱体の熱エネルギーを外部空間に放出する熱エネルギー放出装置に関する。
【背景技術】
【０００２】
従来の熱交換流体をキャリアとする熱エネルギー放出装置では、自然蓄熱体の外部空間に熱エネルギーを輸送する一方のパイプの流体出入口と他方のパイプの流体出入口との間は開放されており、パイプが供給する熱エネルギーが無駄に失われてしまう。
【先行技術文献】
【特許文献】
【０００３】
【特許文献１】特開平１１−２９４９８０号公報
【発明の概要】
【発明が解決しようとする課題】
【０００４】
本発明の目的は、熱エネルギーを効率的に放出可能な熱エネルギー放出装置を提供することにある。
【課題を解決するための手段】
【０００５】
本発明の熱エネルギー放出装置は、より大きくかつ安定な貯熱容量を持つ地層、地表、池、湖、河川、沙漠、氷山、海洋等の固体または液体状の自然蓄熱体の中に設置されることにより、自然蓄熱体の熱エネルギーを通して底部に設置される加熱器の中を流れる熱交換流体に熱エネルギーが伝わる。
その主な特徴は、以下の（１）及び（２）を含み、さらに（３）〜（７）の中の一種または一種以上の特定構造・装置を備えることを含む。
（１）一方のパイプにある流体出入口と他方のパイプにある流体出入口との間に閉鎖空間を形成するカバーを設置することによって、一方のパイプにある流体出入口から熱エネルギーを備える熱交換流体を放出し、またその中の一部を他方のパイプにある流体出入口を介して加熱器に還流させる。
（２）加熱器、他方のパイプ、閉鎖空間を形成するカバー、および一方のパイプを連続的に設置することによりオープンループの流路を構成し、オープンループの流路の１箇所または１箇所以上の曲がる箇所に外に向って拡張する屈折部を備え、一部の熱交換流体を一時的に保存し、及び熱エネルギーを備える熱交換流体の流速を緩める。
（３）温度調節補助装置を設置する。
（４）補助流体ポンプを設置する。
（５）熱交換流体温度検出器を設置する。
（６）周囲温度センサを設置する。
（７）電気エネルギー制御装置を設置する。
また、カバー（２１１、２１２、２１３）は以下のａ〜ｃの中のいずれかひとつである。
ａ．自然蓄熱体（１００）の外部空間（１０３）の一部を区画し、熱交換流体（１０４）を誘導可能であって、密閉状態の閉鎖空間を形成するカバー（２１１）。
ｂ．自然蓄熱体（１００）の外部空間（１０３）の一部を区画し、熱交換流体（１０４）を誘導または外部に対して流体を交換可能であって、半密閉状態の閉鎖空間を形成するカバー（２１２）。
ｃ．自然蓄熱体（１００）の外部空間（１０３）の一部を区画し、熱交換流体（１０４）の流向を誘導し開閉を制御することにより、閉鎖空間を密閉状態または半密閉状態にすることが可能なドアを有するカバー（２１３）。
なお、本発明の熱エネルギー放出装置は、固体、または気体、または液体に対するエネルギー放出への応用を含む。その中で、外部空間（１０３）のうち、上記ａ〜ｃで特定されるカバー（２１１，２１２，２１３）で区画される各閉鎖空間を除く空間は以下の１〜４を含み、５および６を含まない。
１．路面、建物の屋上、壁、床の外部に存在する空間。
２．温室内空気または家屋内空気で構成される気体を含む自然蓄熱体１００の外部に存在する空間。
３．池中または槽の中または容器内の液体で構成される液体を含む自然蓄熱体１００の外部に存在する空間。
４．加温または耐寒防凍の施設または構造体の外部に存在する空間。
５．固定された建築物であるビル、温室を含む建物の中の空間。
６．移動可能な建築物である船、浮体式作業台、及び水上建築物の中の空間。
【０００６】
本発明の熱エネルギー放出装置では、均熱後の熱交換流体の冷却による液化、加熱による気化、または補助流体ポンプの圧送を通して、加熱器の中の熱交換流体が、一方のパイプの流体出入口を経て全方位または設定した方向に放出され、熱交換流体の熱放出を受けよるカバーにより形成される閉鎖空間に対して熱エネルギーを放出することができる。
【図面の簡単な説明】
【０００７】
【図１】本発明の第１実施形態による熱エネルギー放出装置の断面図を示す。
【図２】本発明の第２実施形態による熱エネルギー放出装置の断面図を示す。
【図３】本発明の第３実施形態による熱エネルギー放出装置の断面図を示す。
【図４】本発明の第４実施形態による熱エネルギー放出装置の断面図を示す。
【図５】本発明の第４実施形態による熱エネルギー放出装置の変形例の断面図を示す。
【図６】本発明の第４実施形態による熱エネルギー放出装置の図５とは異なる変形例の断面図を示す。
【図７】本発明の第５実施形態による熱エネルギー放出装置の断面図を示す。
【図８】本発明の第５実施形態による熱エネルギー放出装置の変形例の断面図を示す。
【図９】本発明の第５実施形態による熱エネルギー放出装置の図８とは異なる変形例の断面図を示す。
【図１０】図７〜図９の上面図を示す。
【図１１】本発明の第６実施形態による熱エネルギー放出装置の断面図を示す。
【図１２】本発明の第６実施形態による熱エネルギー放出装置の変形例の断面図を示す。
【図１３】本発明の第６実施形態による熱エネルギー放出装置の図１２とは異なる変形例の断面図を示す。
【図１４】本発明の第６実施形態による熱エネルギー放出装置の図１２，１３とは異なる変形例の断面図を示す。
【図１５】図１１〜図１４の上面図を示す。
【図１６】本発明の第７実施形態による熱エネルギー放出装置の断面図を示す。
【図１７】本発明の第７実施形態による熱エネルギー放出装置の変形例の断面図を示す。
【図１８】本発明の第７実施形態による熱エネルギー放出装置の図１７とは異なる変形例の断面図を示す。
【図１９】本発明の第７実施形態による熱エネルギー放出装置の図１７、１８とは異なる変形例の断面図を示す。
【図２０】図１６〜図１９の上面図を示す。
【図２１】本発明の第８実施形態による熱エネルギー放出装置の断面図を示す。
【図２２】本発明の第８実施形態による熱エネルギー放出装置の変形例の断面図を示す。
【図２３】本発明の第８実施形態による熱エネルギー放出装置の図２２とは異なる変形例の断面図を示す。
【図２４】本発明の第９実施形態による熱エネルギー放出装置の断面図を示す。
【図２５】本発明の第９実施形態による熱エネルギー放出装置の変形例の断面図を示す。
【図２６】本発明の第９実施形態による熱エネルギー放出装置の図２５とは異なる変形例の断面図を示す。
【図２７】本発明の第９実施形態による熱エネルギー放出装置の図２５、２６とは異なる変形例の断面図を示す。
【図２８】図２４〜図２７の上面図を示す。
【図２９】本発明の第１０実施形態による熱エネルギー放出装置の断面図を示す。
【図３０】本発明の第１０実施形態による熱エネルギー放出装置の変形例の断面図を示す。
【図３１】本発明の第１０実施形態による熱エネルギー放出装置の図３０とは異なる変形例の断面図を示す。
【図３２】本発明の第１０実施形態による熱エネルギー放出装置の図３０、３１とは異なる変形例の断面図を示す。
【図３３】図２９〜図３２の上面図を示す。
【図３４】本発明の第１１実施形態による熱エネルギー放出装置の断面図を示す。
【図３５】本発明の第１１実施形態による熱エネルギー放出装置の変形例の断面図を示す。
【図３６】本発明の第１１実施形態による熱エネルギー放出装置の図１３とは異なる変形例の断面図を示す。
【図３７】本発明の第１２実施形態による熱エネルギー放出装置の断面図を示す。
【図３８】本発明の第１２実施形態による熱エネルギー放出装置の変形例の断面図を示す。
【図３９】本発明の第１２実施形態による熱エネルギー放出装置の図３８とは異なる変形例の断面図を示す。
【図４０】図３７〜図３９の上面図を示す。
【図４１】本発明の第１３実施形態による熱エネルギー放出装置の断面図を示す。
【図４２】本発明の第１３実施形態による熱エネルギー放出装置の変形例の断面図を示す。
【図４３】本発明の第１３実施形態による熱エネルギー放出装置の図４２とは異なる変形例の断面図を示す。
【図４４】図４１〜図４３の鳥瞰断面図を示す。
【図４５】本発明の第１４実施形態による熱エネルギー放出装置の断面図を示す。
【図４６】本発明の第１５実施形態による熱エネルギー放出装置の断面図を示す。
【図４７】本発明の第１６実施形態による熱エネルギー放出装置の断面図を示す。
【図４８】本発明の第１７実施形態による熱エネルギー放出装置の断面図を示す。
【図４９】本発明の第１８実施形態による熱エネルギー放出装置の断面図を示す。
【図５０】本発明の第１８実施形態による熱エネルギー放出装置の変形例の断面図を示す。
【図５１】本発明の第１８実施形態による熱エネルギー放出装置の図５０とは異なる変形例の断面図を示す。
【発明を実施するための形態】
【０００８】
以下に、本発明の複数の実施形態における構成の特徴、作用について、図に基づいて詳しく説明する。以下、「補助液体ポンプ」は「補助流体ポンプ」を指すものとする。
【０００９】
（第１実施形態）
図１に本発明の第１実施形態による熱エネルギー放出装置であって、直線状の他方のパイプ３０１と加熱器１０１との間に屈折部１０８を設けることにより、上方に向って傾斜する加熱器１０１および一方のパイプ４０１へ通じる構成の模式図を示す。
【００１０】
図１に示す加熱器１０１は、自然蓄熱体１００に設置される。自然蓄熱体１００は、より大きくかつ安定な貯熱容量を持つ地層、地表、池、湖、河川、沙漠、氷山、海洋等の固体または液体状の蓄熱体によって構成される。
【００１１】
加熱器１０１にある流体出入口１０１１は、他方のパイプ３０１を経て、流体出入口３０１２及び流体出入口カバー部１０１０へ通じる。加熱器１０１にある別の流体出入口１０１２は、一方のパイプ４０１にある流体出入口４０１１及び流体出入口カバー部１０１０を経て、自然蓄熱体１００の外部空間１０３へ通じる。加熱器１０１を流れる熱交換流体１０４は、パイプ３０１、４０１及び自然蓄熱体１００の外部空間１０３により構成される一部が還流するオープンループの流路を流れる。また、加熱器１０１を流れる熱交換流体１０４は、自然蓄熱体１００の外部空間１０３に対して熱エネルギーを放出する。熱交換流体１０４は、蓄熱及び熱伝導特性を備える気体または液体流体によって構成されることを含む。自然蓄熱体１００の外部空間１０３は、気体、固体、または液体によって充填されており、システム作動時、熱交換流体から放出される熱エネルギーを受ける。
【００１２】
その主な構成の特徴は次の通りである。
加熱器１０１は、高熱伝導性材料によって構成される。一流路または一流路以上が一体化した構造を備える。或いは一流路または一流路以上の流路が一体化した導管から構成される。その流路の断面Ａ−Ａは円形または他の幾何形状の断面を呈する。その内部または外部を更に一歩進ませ、流体の流動の邪魔にならない導熱羽根を自然蓄熱体１００の中に上方に向って傾斜するように設置することができる。加熱器１０１の流路両端に設けた流体出入口１０１１、１０１２を別々にパイプ３０１、４０１の一端と連結し、自然蓄熱体１００の外部空間１０３へ通じることによって、一部が還流するオープンループの流路が形成される。加熱器１０１内部の流路は主に水平であるが、上方に向って傾斜する位置が比較的低い側にある流体出入口１０１１に相対的に低温である熱交換流体１０４が流入し、比較的高い側にある流体出入口１０１２に相対的高温である熱交換流体１０４が流出し、熱交換流体１０４が有する熱量に応じて昇温、または降温が行われる。
【００１３】
他方のパイプ３０１は、一流路または一流路以上の流体パイプを備え、そのパイプの断面Ｃ−Ｃは円形または他の幾何形状を呈する。他方のパイプ３０１は以下の一種または一種以上の方式によって構成される。
（１）高熱伝導特性を備える材料によって構成される。
（２）高熱伝導特性を備える材料によって構成され、またその全部または一部の配管セグメントの外部を断熱体１０９で覆う。
（３）高断熱性を備える材料から形成される管状部材または組み立て部材によって構成される。他方のパイプ３０１の一端は一個または一個以上の流体出入口３０１１を備え、一流路または一流路以上の流路の加熱器１０１が備える流体出入口１０１１と連通する。他方のパイプ３０１の他端は、一個または一個以上の一体構造である流体出入口３０１２を備え、流体出入口カバー部１０１０に通じることにより、熱交換流体１０４が送られる。
【００１４】
一方のパイプ４０１は、一流路または一流路以上の流路の流体パイプを備え、パイプの断面Ｄ−Ｄは円形または他の幾何形状を呈する。一方のパイプ４０１は以下の一種または一種以上の方式によって構成される。
（１）高熱伝導特性を備える材料によって構成される。
（２）高熱伝導特性を備える材料によって構成され、またその全部または一部の配管セグメントの外部を断熱体１０９で覆う。
（３）高断熱性を備える材料から形成される管状部材または組み立て部材によって構成される。一方のパイプ４０１の一端は一個または一個以上の流体出入口４０１２を備え、一流路または一流路以上の流路の加熱器１０１を備える流体出入口１０１２と連通する。一方のパイプ４０１の他端は、一個または一個以上の流体出入口４０１１を備え、流体出入口カバー部１０１０に通じることにより、熱交換流体１０４が送られる。
【００１５】
屈折部１０８は、外に向かって拡張するように設けられ、加熱器１０１、他方のパイプ３０１、自然蓄熱体１００の外部空間１０３、一方のパイプ４０１を連続的に設置することによりオープンループの流路が形成する。オープンループの流路の１箇所または１箇所以上の曲がる箇所に屈折部１０８を備え、一部の熱交換流体１０４を一時的に保存する。また、屈折部１０８は、熱エネルギーを有する熱交換流体１０４の流速を緩める。
【００１６】
上述した加熱器１０１にある流体出入口端に設置される屈折部１０８の近隣に貯蔵される流体の体積は相対的に大きいため、総熱容量は比較的大きく、加熱器１０１の外部と接触した自然蓄熱体１００の外部から熱エネルギーを導入する。流体を経て両側に向って伝導するとき、加熱器１０１に設置する屈折部１０８の一端での流体の温度差の変化は比較的小さく、屈折部１０８を設置していない他端の温度変化が比較的大きいため、加熱器１０１の出入り口の両端に温度差を形成する。
【００１７】
上述した熱エネルギー放出装置は、少なくとも一個の加熱器１０１と少なくとも一個の他方のパイプ３０１と少なくとも一個の一方のパイプ４０１を含む。その加熱器１０１、他方のパイプ３０１と一方のパイプ４０１は、一体構造または複数のパーツを組み立てることを含む。各連接箇所の寸法及び形状との間の構造は少しずつ変形し、また平滑形状により、流体が流れる時の抵抗が減少するため、流体の循環流動にとっては有利である。
【００１８】
（第２実施形態）
図２に本発明の第２実施形態による熱エネルギー放出装置であって、直線状の他方のパイプ３０１と加熱器１０１との間に屈折部１０８を設けることにより、鉛直方向に設けられる加熱器１０１と一方のパイプ４０１へ通じる構成の模式図を示す。
【００１９】
図２に示す加熱器１０１は、自然蓄熱体１００に設置され、自然蓄熱体１００は、より大きくかつ安定な貯熱容量を持つ地層、地表、池、湖、河川、沙漠、氷山、海洋等の固体または液体状の蓄熱体によって構成される。
【００２０】
加熱器１０１にある流体出入口１０１１は、他方のパイプ３０１を経て、流体出入口３０１２及び流体出入口カバー部１０１０へ通じる。加熱器１０１にある別の流体出入口１０１２は、一方のパイプ４０１にある流体出入口４０１１及び流体出入口カバー部１０１０を経て、自然蓄熱体１００の外部空間１０３へ通じる。加熱器１０１を流れる熱交換流体１０４は、パイプ３０１、４０１及び自然蓄熱体１００の外部空間１０３により構成される一部が還流するオープンループの流路を流れる。また、加熱器１０１を流れる熱交換流体１０４は、自然蓄熱体１００の外部空間１０３に対して熱エネルギーを放出する。熱交換流体１０４は、蓄熱及び熱伝導特性を備える気体または液体流体によって構成されることを含む。自然蓄熱体１００の外部空間１０３は、気体、固体、または液体によって充填されており、システム作動時、熱交換流体から放出される熱エネルギーを受ける。
【００２１】
その主な構成の特徴は次の通りである。
加熱器１０１は、高熱伝導性材料によって構成される。一流路または一流路以上が一体化した構造を備える。或いは一流路または一流路以上の流路が一体化した導管から構成される。その流路の断面Ａ−Ａは円形または他の幾何形状の断面を呈する。その内部または外部を更に一歩進ませ、流体の流動の邪魔にならない導熱羽根を自然蓄熱体１００の中に垂直に設置することができる。加熱器１０１の流路両端に設けた流体出入口１０１１、１０１２を別々にパイプ３０１、４０１の一端と連結し、自然蓄熱体１００の外部空間１０３へ通じることによって、一部が還流するオープンループの流路を形成する。加熱器１０１内部の流路は主に水平であるが、垂直に設置する位置が比較的低い側にある流体出入口１０１１に相対的に低温である熱交換流体１０４が流入し、比較的高い側にある流体出入口１０１２に相対的高温である熱交換流体１０４が流出し、熱交換流体１０４が有する熱量に応じて昇温、または降温が行われる。
【００２２】
他方のパイプ３０１は、一流路または一流路以上の流体パイプを備え、円形または他の幾何形状パイプを呈し、そのパイプの断面Ｃ−Ｃは円形または他の幾何形状を呈し、他方のパイプ３０１は以下の一種または一種以上の方式によって構成される。
【００２３】
（１）高熱伝導特性を備える材料によって構成される。
（２）高熱伝導特性を備える材料によって構成され、またその全部または一部の配管セグメントの外部を断熱体１０９で覆う。
（３）高断熱性を備える材料から形成される管状部材または組み立て部材によって構成される。他方のパイプ３０１の一端は一個または一個以上の流体出入口３０１１を備え、一流路または一流路以上の流路の加熱器１０１を備える流体出入口１０１１と連通する。他方のパイプ３０１の他端は、一個または一個以上の一体構造である流体出入口３０１２を備え、流体出入口カバー部１０１０に通じることにより、熱交換流体１０４が送られる。
【００２４】
一方のパイプ４０１は、一流路または一流路以上の流路の流体パイプを備え、円形または他の幾何形状パイプを呈し、パイプの断面Ｄ−Ｄは円形または他の幾何形状を呈し、一方のパイプ４０１は以下の一種または一種以上の方式によって構成される。
（１）高熱伝導特性を備える材料によって構成される。
（２）高熱伝導特性を備える材料によって構成され、またその全部または一部の配管セグメントの外部を断熱体１０９で覆う。
（３）高断熱性を備える材料から形成される管状部材または組み立て部材によって構成される。一方のパイプ４０１の一端は一個または一個以上の流体出入口４０１２を備え、一流路または一流路以上の流路の加熱器１０１を備える流体出入口１０１２と連通する。一方のパイプ４０１の他端は、一個または一個以上の流体出入口４０１１を備え、流体出入口カバー部１０１０に通じることにより、熱交換流体１０４が送られる。
【００２５】
屈折部１０８は、外に向かって拡張するように設けられ、加熱器１０１、他方のパイプ３０１、自然蓄熱体１００の外部空間１０３、一方のパイプ４０１を連続的に設置することによりオープンループの流路を形成する。オープンループの流路の１箇所または１箇所以上の曲がる箇所に屈折部１０８を備え、一部の熱交換流体１０４を一時的に保存する。また、屈折部１０８は、熱エネルギーを有する熱交換流体１０４の流速を緩める。
【００２６】
上述した加熱器１０１にある流体出入口端に設置される屈折部１０８の近隣に貯蔵される流体の体積は相対的に大きいため、総熱容量は比較的大きく、加熱器１０１の外部と接触した自然蓄熱体１００の外部から熱エネルギーを導入する。流体を経て両側に向って伝導するとき、加熱器１０１に設置する屈折部１０８の一端での流体の温度差の変化は比較的小さく、屈折部１０８を設置していない他端の温度変化が比較的大きいため、加熱器１０１の出入り口の両端に温度差を形成する。
【００２７】
上述した熱エネルギー放出装置は、少なくとも一個の加熱器１０１と少なくとも一個の他方のパイプ３０１と少なくとも一個の一方のパイプ４０１を含む。加熱器１０１、他方のパイプ３０１および一方のパイプ４０１は、一体または複数のパーツを組み立てることを含む。各連接箇所の寸法及び形状との間の構造は少しずつ変形し、また平滑形状により、流体が流れる時の抵抗が減少するため、流体の循環流動にとっては有利である。
【００２８】
（第３実施形態）
図３に本発明の第３実施形態による熱エネルギー放出装置であって、円弧状の他方のパイプ３０１と加熱器１０１との間に屈折部１０８を設けることにより、上方に向って傾斜する加熱器１０１と円弧状の一方のパイプ４０１へ通じる構成の模式図を示す。
【００２９】
図３に示す加熱器１０１は、自然蓄熱体１００に設置される。自然蓄熱体１００は、より大きくかつ安定な貯熱容量を持つ地層、地表、池、湖、河川、沙漠、氷山、海洋等の固体または液体状の蓄熱体によって構成される。
【００３０】
加熱器１０１にある流体出入口１０１１は、他方のパイプ３０１を経て、流体出入口３０１２及び流体出入口カバー部１０１０へ通じる。加熱器１０１にある別の流体出入口１０１２は、一方のパイプ４０１にある流体出入口４０１１及び流体出入口カバー部１０１０を経て、自然蓄熱体１００の外部空間１０３へ通じる。加熱器１０１を流れる熱交換流体１０４は、パイプ３０１、４０１及び自然蓄熱体１００の外部空間１０３により構成される一部が還流するオープンループの流路を流れる。また、加熱器１０１を流れる熱交換流体１０４は、自然蓄熱体１００の外部空間１０３に対して熱エネルギーを放出する。熱交換流体１０４は、蓄熱及び熱伝導特性を備える気体または液体流体によって構成されることを含む。自然蓄熱体１００の外部空間１０３は、気体、固体、または液体によって充填されており、システム作動時、熱交換流体１０４から放出される熱エネルギーを受ける。
【００３１】
その主な構成の特徴は次の通りである。
加熱器１０１は、高熱伝導性材料によって構成される。一流路または一流路以上が一体化した構造を備える。或いは一流路または一流路以上の流路が一体化した導管から構成される。その流路の断面Ａ−Ａは円形または他の幾何形状の断面を呈する。その内部または外部を更に一歩進ませ、流体の流動の邪魔にならない導熱羽根を自然蓄熱体１００の中に上方に向って傾斜するように設置することができる。加熱器１０１の流路両端に設けた流体出入口１０１１、１０１２を別々にパイプ３０１、４０１の一端と連結し、自然蓄熱体１００の外部空間１０３へ通じることによって、一部が還流するオープンループの流路を形成する。加熱器１０１内部の流路は主に水平であるが、上方に向って傾斜する位置が比較的低い側にある流体出入口１０１１に相対的に低温である熱交換流体１０４が流入し、比較的高い側にある流体出入口１０１２に相対的高温である熱交換流体１０４が流出し、熱交換流体１０４が有する熱量に応じて昇温、または降温が行われる。
【００３２】
他方のパイプ３０１は、一流路または一流路以上の流体パイプを備え、円形または他の幾何形状パイプを呈し、そのパイプの断面Ｃ−Ｃは円形または他の幾何形状を呈し、他方のパイプ３０１は以下の一種または一種以上の方式によって構成される。
（１）高熱伝導特性を備える材料によって構成される。
（２）高熱伝導特性を備える材料によって構成され、またその全部または一部の配管セグメントの外部を断熱体１０９で覆う。
（３）高断熱性を備える材料から形成される管状部材または組み立て部材によって構成される。他方のパイプ３０１の一端は一個または一個以上の流体出入口３０１１を備え、一流路または一流路以上の流路の加熱器１０１を備える流体出入口１０１１と連通する。他方のパイプ３０１の他端は、一個または一個以上の一体構造である流体出入口３０１２を備え、流体出入口カバー部１０１０に通じることにより、熱交換流体１０４が送られる。
【００３３】
一方のパイプ４０１は、一流路または一流路以上の流路の流体パイプを備え、円形または他の幾何形状パイプを呈し、パイプの断面Ｄ−Ｄは円形または他の幾何形状を呈し、一方のパイプ４０１は以下の一種または一種以上の方式によって構成される。
（１）高熱伝導特性を備える材料によって構成される。
（２）高熱伝導特性を備える材料によって構成され、またその全部または一部の配管セグメントの外部を断熱体１０９で覆う。
（３）高断熱性を備える材料から形成される管状部材または組み立て部材によって構成される。一方のパイプ４０１の一端は一個または一個以上の流体出入口４０１２を備え、一流路または一流路以上の流路の加熱器１０１を備える流体出入口１０１２と連通する。一方のパイプ４０１の他端は、一個または一個以上の流体出入口４０１１を備え、流体出入口カバー部１０１０に通じることにより、熱交換流体１０４が送られる。
【００３４】
屈折部１０８は、外に向かって拡張するように設けられ、加熱器１０１、他方のパイプ３０１、自然蓄熱体１００の外部空間１０３、一方のパイプ４０１を連続的に設置することによりオープンループの流路を形成する。オープンループの流路の１箇所または１箇所以上の曲がる箇所に屈折部１０８を備え、一部の熱交換流体１０４を一時的に保存する。また、屈折部１０８は、熱エネルギーを有する熱交換流体１０４の流速を緩める。
【００３５】
上述した加熱器１０１にある流体出入口端に設置される屈折部１０８の近隣に貯蔵される流体の体積は相対的に大きいため、総熱容量は比較的大きく、加熱器１０１の外部と接触した自然蓄熱体１００の外部から熱エネルギーを導入する。流体を経て両側に向って伝導するとき、加熱器１０１に設置する屈折部１０８の一端での流体の温度差の変化は比較的小さく、屈折部１０８を設置していない他端の温度変化が比較的大きいため、加熱器１０１の出入り口の両端に温度差を形成する。
【００３６】
上述した熱エネルギー放出装置は、少なくとも一個の加熱器１０１、自然蓄熱体１００の外部空間１０３、少なくとも一個の他方のパイプ３０１、および少なくとも一個の一方のパイプ４０１により一部が還流するオープンループ流路を形成することを含む。その加熱器１０１、他方のパイプ３０１と一方のパイプ４０１は、一体構造または複数のパーツを組み立てることを含む。各連接箇所の寸法及び形状との間の構造は少しずつ変形し、また平滑形状により、流体が流れる時の抵抗が減少するため、流体の循環流動にとっては有利である。
【００３７】
（第４実施形態）
図４に本発明の第４実施形態による熱エネルギー放出装置の模式図を示す。
【００３８】
図４に示す主な構成は次の通りである。
第４実施形態による熱エネルギー放出装置は、直線状の他方のパイプ３０１を備える。その底部は屈折部１０８を備え、自然蓄熱体１００に設置される上方に向って傾斜する加熱器１０１へ通じる。更に加熱器１０１にある流体出入口１０１２と一方のパイプ４０１にある流体出入口４０１２を連結し、及び一方のパイプ４０１の流体出入口４０１１と他方のパイプ３０１の流体出入口３０１２との間に密閉状態の閉鎖空間を形成するカバー２１１を備える。カバー２１１は、自然蓄熱体１００の外部空間１０３の一部を区画し、熱交換流体１０４を誘導する。
【００３９】
図５に第４実施形態による熱エネルギー放出装置の変形例の模式図を示す。変形例は、一方のパイプ４０１の流体出入口４０１１と他方のパイプ３０１の流体出入口３０１２との間に半密閉状態の閉鎖空間を形成するカバー２１２を備える。
【００４０】
図５に示す主な構成は次の通りである。
第４実施形態による熱エネルギー放出装置の変形例は、直線状の他方のパイプ３０１を備える。その底部は屈折部１０８を備え、自然蓄熱体１００に設置される上方に向って傾斜する加熱器１０１へ通じる。更に加熱器１０１にある流体出入口１０１２と一方のパイプ４０１にある流体出入口４０１２を連結し、一方のパイプ４０１の流体出入口４０１１と他方のパイプ３０１の流体出入口３０１２との間に半密閉状態の閉鎖空間とカバー２１２を備える。カバー２１１は、自然蓄熱体１００の外部空間１０３の一部を区画したり、熱交換流体１０４を誘導したり、またカバー２１２の外部と流体を交換したりする。
【００４１】
図６に第４実施形態による熱エネルギー放出装置の異なる変形例の模式図を示す。異なる変形例は、一方のパイプ４０１の流体出入口４０１１と他方のパイプ３０１の流体出入口３０１２との間にドア部を有し閉鎖空間を形成するカバー２１３を備える。
【００４２】
図６に示す主な構成は次の通りである。
第４実施形態による熱エネルギー放出装置の異なる変形例は、直線状の他方のパイプ３０１を備える。その底部は屈折部１０８を備え、自然蓄熱体１００に設置される上方に向って傾斜する加熱器１０１へ通じる。更に加熱器１０１にある流体出入口１０１２と一方のパイプ４０１にある流体出入口４０１２を連結し、及び一方のパイプ４０１の流体出入口４０１１と他方のパイプ３０１の流体出入口３０１２との間にドア部を有する閉鎖空間とカバー２１３を備える。カバー２１３は、自然蓄熱体１００の外部空間１０３の一部を区画し、熱交換流体１０４を誘導する。カバー２１３のドア部は、ドアの開閉を制御することにより閉鎖空間を密閉状態または半密閉状態にする。
【００４３】
（第５実施形態）
図７に本発明の第５実施形態による熱エネルギー放出装置の模式図を示す。
【００４４】
図７に示す主な構成は次の通りである。
第５実施形態による熱エネルギー放出装置は、直線状の他方のパイプ３０１を備え、少なくとも二個の熱エネルギー放出装置の一方のパイプ４０１を自然蓄熱体１００に交差するように設置する。各熱エネルギー放出装置の底部は屈折部１０８を備え、自然蓄熱体１００の中に設置される上方に向って傾斜する加熱器１０１へ通じる。更に加熱器１０１にある流体出入口１０１２と一方のパイプ４０１にある流体出入口４０１２を連結し、一方のパイプ４０１の流体出入口４０１１と他方のパイプ３０１の流体出入口３０１２との間に密閉状態の閉鎖空間を形成するカバー２１１を備える。カバー２１１は、自然蓄熱体１００の外部空間１０３の一部を区画し、熱交換流体１０４を誘導する。
【００４５】
図８に第５実施形態による熱エネルギー放出装置の変形例の模式図を示す。変形例は、一方のパイプ４０１の流体出入口４０１１と他方のパイプ３０１の流体出入口３０１２との間に半密閉状態の閉鎖空間とカバー２１２を備える。
【００４６】
図８に示す主な構成は次の通りである。
第５実施形態による熱エネルギー放出装置の変形例は、直線状の他方のパイプ３０１を備え、少なくとも二個の熱エネルギー放出装置の一方のパイプ４０１を自然蓄熱体１００に交差するように設置する。熱エネルギー放出装置の底部は屈折部１０８を備え、自然蓄熱体１００の中に設置される上方に向って傾斜する加熱器１０１へ通じる。更に加熱器１０１にある流体出入口１０１２と一方のパイプ４０１にある流体出入口４０１２とを連結し、一方のパイプ４０１のある流体出入口４０１１と他方のパイプ３０１の流体出入口３０１２との間に半密閉状態の閉鎖空間を形成するカバー２１２を備える。カバー２１２は、自然蓄熱体１００の外部空間１０３の一部を区画したり、熱交換流体１０４を誘導したり、また外部に対して流体を交換する。
【００４７】
図９に第５実施形態による熱エネルギー放出装置の異なる変形例の模式図を示す。変形例は、一方のパイプ４０１の流体出入口４０１１と他方のパイプ３０１の流体出入口３０１２との間に、ドア部を有する閉鎖空間とカバー２１３を備える。
【００４８】
図９に示す主な構成は次の通りである。
第５実施形態による熱エネルギー放出装置の異なる変形例は、直線状の他方のパイプ３０１を備え、少なくとも二個の熱エネルギー放出装置の一方のパイプ４０１を自然蓄熱体１００内で交差するように設置する。熱エネルギー放出装置の底部は屈折部１０８を備え、自然蓄熱体１００の中に設置される上方に向って傾斜する加熱器１０１へ通じる。更に加熱器１０１にある流体出入口１０１２と一方のパイプ４０１にある流体出入口４０１２を連結し、及び一方のパイプ４０１の流体出入口４０１１と他方のパイプ３０１の流体出入口３０１２との間にドア部を有し閉鎖空間を形成するカバー２１３を備える。カバー２１３は、自然蓄熱体１００の外部空間１０３を一部区画し、熱交換流体１０４の流向を誘導する。その中のドア部を有するカバー２１３は、ドアの開閉を制御することにより、閉鎖空間を密閉状態または半密閉状態にする。
【００４９】
図１０に図７〜図９に示す第５実施形態による熱エネルギー放出装置の上面図を示す。
図１０に示すように、第５実施形態による熱エネルギー放出装置では、加熱器１０１を自然蓄熱体１００の中で交差するように設置するとともに、両端は他方のパイプ３０１および一方のパイプ４０１を経て、自然蓄熱体１００の外部空間１０３で延びるように設けられる。
【００５０】
（第６実施形態）
前述した第１実施形態による熱エネルギー放出装置を更に一歩進ませ、一体にした一方のパイプ４０１を備えることができる。説明は次の通りである。
【００５１】
図１１に本発明の第６実施形態による熱エネルギー放出装置の模式図を示す。
【００５２】
図１１に示す主な構成は次の通りである。
第６実施形態による熱エネルギー放出装置は、二個または二個以上の接続部が放射状に展開する他方のパイプ３０１を備える。その各接続部の底側には屈折部１０８を備え、個別の屈折部１０８にある流体出入口３０１１は、上方に向って傾斜する加熱器１０１にある流体出入口１０１１へ通じる。更に加熱器１０１にある流体出入口１０１２と共用する一方のパイプ４０１にある流体出入口４０１２を連結する。
【００５３】
図１２に第６実施形態による熱エネルギー放出装置の変形例の模式図を示す。変形例は、一方のパイプ４０１の流体出入口４０１１と他方のパイプ３０１の流体出入口３０１２との間に密閉状態の閉鎖空間を形成するカバー２１１を備える。
【００５４】
図１２に示す主な構成は次の通りである。
第５実施形態による熱エネルギー放出装置の変形例は、二個または二個以上の接続部が放射状に径方向に展開する他方のパイプ３０１を備える。その各接続部の底側には屈折部１０８を備え、個別の屈折部１０８にある流体出入口３０１１は、上方に向って傾斜する加熱器１０１にある流体出入口１０１１へ通じる。更に加熱器１０１にある流体出入口１０１２と共用する一方のパイプ４０１にある流体出入口４０１２とを連結する。一方のパイプ４０１の流体出入口４０１１と他方のパイプ３０１の流体出入口３０１２との間に密閉状態の閉鎖空間を形成するカバー２１１を備える。カバー２１１は、自然蓄熱体１００の外部空間１０３の一部を区画し、熱交換流体１０４を誘導する。
【００５５】
図１３に第６実施形態による熱エネルギー放出装置の異なる変形例の模式図を示す。変形例は、一方のパイプ４０１の流体出入口４０１１と他方のパイプ３０１の流体出入口３０１２との間に半密閉状態の閉鎖空間を形成するカバー２１２を備える。
【００５６】
図１３に示す主な構成は次の通りである。
第６実施形態による熱エネルギー放出装置の異なる変形例は、二個または二個以上の接続部が放射状に径方向に展開する他方のパイプ３０１を備える。その各接続部の底側には屈折部１０８を備え、個別の屈折部１０８にある流体出入口３０１１は、上方に向って傾斜する加熱器１０１にある流体出入口１０１１へ通じる。更に加熱器１０１にある流体出入口１０１２と共用する一方のパイプ４０１にある流体出入口４０１２とを連結する。一方のパイプ４０１の流体出入口４０１１と他方のパイプ３０１の流体出入口３０１２との間に半密閉状態の閉鎖空間を形成するカバー２１２を備える。カバー２１２は、自然蓄熱体１００の外部空間１０３の一部を区画したり、熱交換流体１０４の流向を誘導したり、カバー２１２の外部と流体を交換したりする。
【００５７】
図１４に第６実施形態による熱エネルギー放出装置の異なる変形例の模式図を示す。変形例は、一方のパイプ４０１の流体出入口４０１１と他方のパイプ３０１の流体出入口３０１２との間にドア部を有し閉鎖空間を形成するカバー２１３を備える。
【００５８】
図１４に示す主な構成は次の通りである。
第６実施形態による熱エネルギー放出装置は、二個または二個以上の接続部が放射状に径方向に展開する他方のパイプ３０１を備える。その各接続部の底側には屈折部１０８を備え、個別の屈折部１０８にある流体出入口３０１１は、上方に向って傾斜する加熱器１０１にある流体出入口１０１１へ通じる。更に加熱器１０１にある流体出入口１０１２と共用する一方のパイプ４０１にある流体出入口４０１２を連結する。一方のパイプ４０１の流体出入口４０１１と他方のパイプ３０１の流体出入口３０１２との間にドア部を有し閉鎖空間を形成するカバー２１３を備える、カバー２１３は、自然蓄熱体１００の外部空間１０３の一部を区画し、熱交換流体１０４を誘導する。ドア部を有するカバー２１３は、ドアの開閉を制御することにより、閉鎖空間を密閉状態または半密閉状態にする。
【００５９】
図１５に図１１〜図１４に示す第６実施形態による熱エネルギ−放出装置の上面図を示す。
図１５に示すように、第６実施形態による熱エネルギー放出装置では、加熱器１０１が個別に放射状に垂直分布している。一方のパイプ４０１と共用する周辺の他方のパイプ３０１のそれぞれの底部は、個別の屈折部１０８へ通じる。また個別の屈折部１０８にある流体出入口３０１１から上方に向って傾斜する加熱器１０１にある流体出入口１０１１へ通じる。更に加熱器１０１にある流体出入口１０１２から、バイパスマニホルドと共用する一方のパイプ４０１を経て、流体出入口４０１１に連通する。
【００６０】
（第７実施形態）
前述した第１実施形態による熱エネルギー放出装置を更に一歩進ませ、一体にした他方のパイプ３０１を備えることができる。説明は次の通りである。
【００６１】
図１６に本発明の第７実施形態による熱エネルギー放出装置の模式図を示す。
【００６２】
図１６に示す主な構成は次の通りである。
第７実施形態による熱エネルギー放出装置は、共用する他方のパイプ３０１を備える。その接続部の底側には屈折部１０８を備える。屈折部１０８にある個別の流体出入口３０１１は、上方に向って傾斜する加熱器１０１にある流体出入口１０１１へ通じる。更に加熱器１０１にある流体出入口１０１２と二個または二個以上の接続部が放射状に径方向に展開する一方のパイプ４０１にある流体出入口４０１２を連結する。
【００６３】
図１７に第７実施形態による熱エネルギー放出装置の変形例の模式図を示す。変形例は、一方のパイプ４０１の流体出入口４０１１と他方のパイプ３０１の流体出入口３０１２との間に密閉状態の閉鎖空間を形成するカバー２１１を備える。
【００６４】
図１７に示す主な構成は次の通りである。
第７実施形態による熱エネルギー放出装置は、共用する他方のパイプ３０１を備える。その接続部の底側には屈折部１０８を備え、屈折部１０８にある個別の流体出入口３０１１は、上方に向って傾斜する加熱器１０１にある流体出入口１０１１へ通じる。更に加熱器１０１にある流体出入口１０１２と二個または二個以上の接続部が放射状に径方向に展開する一方のパイプ４０１にある流体出入口４０１２とを連結する。一方のパイプ４０１の流体出入口４０１１と他方のパイプ３０１の流体出入口３０１２との間に密閉状態の閉鎖空間を形成するカバー２１１を備える。カバー２１１は、自然蓄熱体１００の外部空間１０３の一部を区画し、熱交換流体１０４を誘導する。
【００６５】
図１８に第７実施形態による熱エネルギー放出装置の異なる変形例の模式図を示す。変形例は、一方のパイプ４０１の流体出入口４０１１と他方のパイプ３０１の流体出入口３０１２との間に、密閉状態の閉鎖空間とカバー２１２を備える。
【００６６】
図１８に示す主な構成は次の通りである。
第７実施形態による熱エネルギー放出装置の異なる変形例は、共用する他方のパイプ３０１を備える。その接続部の底側には屈折部１０８を備える。屈折部１０８にある個別の流体出入口３０１１は、上方に向って傾斜する加熱器１０１にある流体出入口１０１１へ通じる。更に加熱器１０１にある流体出入口１０１２と二個または二個以上の接続部が放射状に径方向に展開する一方のパイプ４０１にある流体出入口４０１２を連結する。一方のパイプ４０１の流体出入口４０１１と他方のパイプ３０１の流体出入口３０１２との間に半密閉状態の閉鎖空間を形成するカバー２１２を備える。カバー２１２は自然蓄熱体１００の外部空間１０３を一部区画したり、熱交換流体１０４を誘導したり、また外部に対して流体を交換する。
【００６７】
図１９に第７実施形態による熱エネルギー放出装置の異なる変形例の模式図を示す。変形例は、一方のパイプ４０１の流体出入口４０１１と他方のパイプ３０１の流体出入口３０１２との間にドア部を有し閉鎖空間を形成するカバー２１３を備える。
【００６８】
図１９に示す主な構成は次の通りである。
第７実施形態による熱エネルギー放出装置の異なる変形例は、共用する他方のパイプ３０１を備える。その接続部の底側には屈折部１０８を備え、屈折部１０８にある個別の流体出入口３０１１は、上方に向って傾斜する加熱器１０１にある流体出入口１０１１へ通じる。更に加熱器１０１にある流体出入口１０１２と二個または二個以上の接続部が放射状に径方向に展開する一方のパイプ４０１にある流体出入口４０１２とを連結する。二個または二個以上の接続部が放射状に径方向に展開する一方のパイプ４０１にある流体出入口４０１１と他方のパイプ３０１の流体出入口３０１２との間にドア部を有し、閉鎖空間を形成するカバー２１３を備える。カバー２１３は、自然蓄熱体１００の外部空間１０３の一部を区画し、熱交換流体１０４を誘導する。ドア部を有するカバー２１３は、ドアの開閉を制御することにより、閉鎖空間を密閉状態または半密閉状態にする。
【００６９】
図２０に図１６〜図１９に示す第７実施形態による熱エネルギ−放出装置の上面図を示す。
図２０に示すように、第７実施形態によるエネルギー放出装置では、それぞれの流体出入口３０１１は、共用する他方のパイプ３０１の底部に設置される屈折部１０８からそれぞれバイパスマニホルドが放射状に設けられる流体出入口３０１１を経て、それぞれの加熱器１０１が有する流体出入口１０１１へ通じる。更に加熱器１０１にある流体出入口１０１２から個別に垂直に設置する他方のパイプ３０１を経て、個別の流体出入口３０１２に連通する。
【００７０】
（第８実施形態）
図２１に本発明の第８実施形態による熱エネルギー放出装置の模式図を示す。第８実施形態による熱エネルギー放出装置は直線状の他方のパイプ３０１を備える。その底部は屈折部１０８を備え、自然蓄熱体１００で鉛直方向に設けられる加熱器１０１へ通じる。更に加熱器１０１にある流体出入口１０１２と一方のパイプ４０１にある流体出入口４０１２とを連結し、一方のパイプ４０１の流体出入口４０１１と他方のパイプ３０１の流体出入口３０１２との間に密閉状態の閉鎖空間を形成するカバー２１１を備える。
【００７１】
図２１に示す主な構成は次の通りである。
第８実施形態による熱エネルギー放出装置は、直線状の他方のパイプ３０１を備える。その底部は屈折部１０８を備え、自然蓄熱体１００で鉛直方向に設けられる加熱器１０１へ通じる。更に加熱器１０１にある流体出入口１０１２と一方のパイプ４０１にある流体出入口４０１２とを連結し、一方のパイプ４０１の流体出入口４０１１と他方のパイプ３０１の流体出入口３０１２との間に密閉状態の閉鎖空間を形成するカバー２１１を備える。カバー２１１は、自然蓄熱体１００の外部空間１０３の一部を区画し、熱交換流体１０４を誘導する。
【００７２】
図２２に第８実施形態による熱エネルギー放出装置の変形例の模式図を示す。変形例は、一方のパイプ４０１の流体出入口４０１１と他方のパイプ３０１の流体出入口３０１２との間に半密閉状態の閉鎖空間を形成するカバー２１２を備える。
【００７３】
図２２に示す主な構成は次の通りである。
第８実施形態による熱エネルギー放出装置は、直線状の他方のパイプ３０１を備える。その底部は屈折部１０８を備え、自然蓄熱体１００で鉛直方向に設けられる加熱器１０１へ通じる。更に加熱器１０１にある流体出入口１０１２と一方のパイプ４０１にある流体出入口４０１２とを連結し、一方のパイプ４０１の流体出入口４０１１と他方のパイプ３０１の流体出入口３０１２との間に半密閉状態の閉鎖空間を形成するカバー２１２を備える。カバー２１２は、自然蓄熱体１００の外部空間１０３を一部区画したり、熱交換流体１０４を誘導したり、カバー２１２の外部と流体を交換したりする。
【００７４】
図２３に第６実施形態による熱エネルギー放出装置の異なる変形例の模式図を示す。変形例は、一方のパイプ４０１の流体出入口４０１１と他方のパイプ３０１の流体出入口３０１２との間にドア部を有し閉鎖空間を形成するカバー２１３を備える。
【００７５】
図２３に示す主な構成は次の通りである。
【００７６】
第８実施形態による熱エネルギー放出装置は、直線状の他方のパイプ３０１を備える。その底部は屈折部１０８を備え、自然蓄熱体１００で鉛直方向に設けられる加熱器１０１へ通じる。更に加熱器１０１にある流体出入口１０１２と一方のパイプ４０１にある流体出入口４０１２とを連結し、一方のパイプ４０１の流体出入口４０１１と他方のパイプ３０１の流体出入口３０１２との間に、ドア部を有する閉鎖空間とカバー２１３を備える。カバー２１３は、自然蓄熱体１００の外部空間１０３の一部を区画し、熱交換流体１０４を誘導する。ドア部を有するカバー２１３は、ドアの開閉を制御することにより、閉鎖空間を密閉状態または半密閉状態にする。
【００７７】
（第９実施形態）
前述した第２実施形態による熱エネルギー放出装置を更に一歩進ませ、一体にした一方のパイプ４０１及び加熱器１０１を備えることができる。説明は次の通りである。
【００７８】
図２４に本発明の第９実施形態による熱エネルギー放出装置の模式図を示す。
【００７９】
図２４に示す主な構成は次の通りである。
第９実施形態による熱エネルギー放出装置は、二個または二個以上の接続部が放射状に径方向に展開する他方のパイプ３０１を備える。その各接続部の底側は共同して屈折部１０８へ通じる。更に屈折部１０８にある流体出入口３０１１により共用する加熱器１０１にある流体出入口１０１１へ通じてから、共用する加熱器１０１にある流体出入口１０１２と共用する一方のパイプ４０１にある流体出入口４０１２を連結する。
【００８０】
図２５に第９実施形態による熱エネルギー放出装置の変形例の模式図を示す。変形例は、一方のパイプ４０１の熱交換流体１０４にある流体出入口４０１１と他方のパイプ３０１の熱交換流体１０４にある流体出入口３０１２との間に密閉状態の閉鎖空間を形成するカバー２１１を備える。
【００８１】
図２５に示す主な構成は次の通りである。
第９実施形態による熱エネルギー放出装置は、二個または二個以上の接続部が放射状に径方向に展開する他方のパイプ３０１を備える。その各接続部の底側は共同して屈折部１０８へ通じる。更に屈折部１０８にある流体出入口３０１１により共用する加熱器１０１にある流体出入口１０１１へ通じてから、共用する加熱器１０１にある流体出入口１０１２と共用する一方のパイプ４０１にある流体出入口４０１２とを連結する。一方のパイプ４０１の熱交換流体１０４にある流体出入口４０１１と他方のパイプ３０１の熱交換流体１０４にある流体出入口３０１２との間に密閉状態の閉鎖空間を形成するカバー２１１を備える。カバー２１１は、自然蓄熱体１００の外部空間１０３の一部を区画し、熱交換流体１０４を誘導する。
【００８２】
図２６に第９実施形態による熱エネルギー放出装置の異なる変形例の模式図を示す。変形例は、一方のパイプ４０１の熱交換流体１０４にある流体出入口４０１１と他方のパイプ３０１の熱交換流体１０４にある流体出入口３０１２との間に半密閉状態の閉鎖空間を形成するカバー２１２を備える。
【００８３】
図２６に示す主な構成は次の通りである。
第９実施形態による熱エネルギー放出装置は、二個または二個以上の接続部が放射状に径方向に展開する他方のパイプ３０１を備える。その各接続部の底側は共同して屈折部１０８へ通じる。更に屈折部１０８にある流体出入口３０１１により共用する加熱器１０１にある流体出入口１０１１へ通じてから、共用する加熱器１０１にある流体出入口１０１２と共用する一方のパイプ４０１にある流体出入口４０１２とを連結する。一方のパイプ４０１の熱交換流体１０４にある流体出入口４０１１と他方のパイプ３０１の熱交換流体１０４にある流体出入口３０１２との間に半密閉状態の閉鎖空間を形成するカバー２１２を備える。カバー２１２は、自然蓄熱体１００の外部空間１０３の一部を区画し、熱交換流体１０４を誘導する。
【００８４】
図２７に第９実施形態による熱エネルギー放出装置の異なる変形例の模式図を示す。変形例は、一方のパイプ４０１の熱交換流体１０４にある流体出入口４０１１と他方のパイプ３０１の熱交換流体１０４にある流体出入口３０１２との間にドア部を有し閉鎖空間を形成するカバー２１３を備える。
【００８５】
図２７に示す主な構成は次の通りである。
第９実施形態による熱エネルギー放出装置は、二個または二個以上の接続部が放射状に径方向に展開する他方のパイプ３０１を備える。その各接続部の底側は共同して屈折部１０８へ通じる。更に屈折部１０８にある流体出入口３０１１により共用する加熱器１０１にある流体出入口１０１１へ通じてから、共用する加熱器１０１にある流体出入口１０１２と共用する一方のパイプ４０１にある流体出入口４０１２とを連結する。一方のパイプ４０１の熱交換流体１０４にある流体出入口４０１１と他方のパイプ３０１の熱交換流体１０４にある流体出入口３０１２との間にドア部を有し閉鎖空間を形成するカバー２１３を備える。カバー２１３は、自然蓄熱体１００の外部空間１０３の一部を区画し、熱交換流体１０４を誘導する。ドア部を有するカバー２１３は、ドアの開閉を制御することにより、閉鎖空間を密閉状態または半密閉状態にする。
【００８６】
図２８に図２４〜図２７に示す第９実施形態による熱エネルギー放出装置の上面図を示す。
図２８に示すように、第９実施形態による熱エネルギー放出装置では、放射状に展開する他方のパイプ３０１の接続部の底側は共用する屈折部１０８へ通じる。更に屈折部１０８により上に向って、共用する加熱器１０１へ通じる。さらに上に向って、共用する一方のパイプ４０１を経て、流体出入口４０１１に連通する。
【００８７】
（第１０実施形態）
前述した第２実施形態による熱エネルギー放出装置を更に一歩進ませ、一体にした他方のパイプ３０１を備えることができる。説明は次の通りである。
【００８８】
図２９に本発明の第１０実施形態による熱エネルギー放出装置の模式図を示す。
【００８９】
図２９に示す主な構成は次の通りである。
第１０実施形態による熱エネルギー放出装置は、共用する他方のパイプ３０１を備え、他方のパイプ３０１の底部は二個または二個以上の放射状に径方向に展開する個別のバイパスマニホルドを備え、個別にそれと連結している屈折部１０８へ通じる。更に屈折部１０８にある流体出入口３０１１により鉛直方向に設けられる加熱器１０１にある流体出入口１０１１へ通じる。また加熱器１０１にある流体出入口１０１２と一方のパイプ４０１にある流体出入口４０１２を連結する。
【００９０】
図３０に第１０実施形態による熱エネルギー放出装置の変形例の模式図を示す。変形例は、一方のパイプ４０１の熱交換流体１０４にある流体出入口４０１１と他方のパイプ３０１の熱交換流体１０４にある流体出入口３０１２との間に密閉状態の閉鎖空間を形成するカバー２１１を備える。
【００９１】
図３０に示す主な構成は次の通りである。
第１０実施形態による熱エネルギー放出装置は、共用する他方のパイプ３０１を備え、他方のパイプ３０１の底部は、二個または二個以上が放射状に径方向に展開する個別のバイパスマニホルドを備え、個別にそれと連結している屈折部１０８へ通じる。更に屈折部１０８にある流体出入口３０１１により、鉛直方向に設けられる加熱器１０１にある流体出入口１０１１へ通じる。また加熱器１０１にある流体出入口１０１２と一方のパイプ４０１にある流体出入口４０１２とを連結する。一方のパイプ４０１の熱交換流体１０４にある流体出入口４０１１と他方のパイプ３０１の熱交換流体１０４にある流体出入口３０１２との間に密閉状態の閉鎖空間を形成するカバー２１１を備える。カバー２１１は、自然蓄熱体１００の外部空間１０３の一部を区画し、熱交換流体１０４を誘導する。
【００９２】
図３１に第１０実施形態による熱エネルギー放出装置の異なる変形例の模式図を示す。変形例は、一方のパイプ４０１の熱交換流体１０４にある流体出入口４０１１と他方のパイプ３０１の熱交換流体１０４にある流体出入口３０１２との間に半密閉状態の閉鎖空間を形成するカバー２１２を備える。
【００９３】
図３１に示す主な構成は次の通りである。
第１０実施形態による熱エネルギー放出装置は、共用する他方のパイプ３０１を備える。他方のパイプ３０１の底部は、二個または二個以上が放射状に径方向に展開する個別のバイパスマニホルドを備え、個別にそれと連結している屈折部１０８へ通じる。更に屈折部１０８にある流体出入口３０１１により、鉛直方向に設けられる加熱器１０１にある流体出入口１０１１へ通じる。また加熱器１０１にある流体出入口１０１２と一方のパイプ４０１にある流体出入口４０１２とを連結する。一方のパイプ４０１の熱交換流体１０４にある流体出入口４０１１と他方のパイプ３０１の熱交換流体１０４にある流体出入口３０１２との間に半密閉状態の閉鎖空間を形成するカバー２１２を備える。カバー２１２は、自然蓄熱体１００の外部空間１０３を一部区画したり、熱交換流体１０４を誘導したり、カバー２１２の外部と流体を交換する。
【００９４】
図３２に第１０実施形態による熱エネルギー放出装置の異なる変形例の模式図を示す。変形例は、一方のパイプ４０１の熱交換流体１０４にある流体出入口４０１１と他方のパイプ３０１の熱交換流体１０４にある流体出入口３０１２との間にドア部を有し閉鎖空間を形成するカバー２１３を備える。
【００９５】
図３２に示す主な構成は次の通りである。
第１０実施形態による熱エネルギー放出装置は、共用する他方のパイプ３０１を備える。他方のパイプ３０１の底部は、二個または二個以上が放射状に径方向に展開する個別のバイパスマニホルドを備え、個別にそれと連結している屈折部１０８へ通じる。更に屈折部１０８の流体出入口３０１１により、鉛直方向に設けられる加熱器１０１の流体出入口１０１１へ通じる。また加熱器１０１にある流体出入口１０１２と一方のパイプ４０１にある流体出入口４０１２とを連結する。一方のパイプ４０１の熱交換流体１０４にある流体出入口４０１１と他方のパイプ３０１の熱交換流体１０４にある流体出入口３０１２との間にドア部を有し閉鎖空間を形成するカバー２１３を備える。カバー２１３は、自然蓄熱体１００の外部空間１０３の一部を区画し、熱交換流体１０４を誘導する。ドア部を有するカバー２１３は、ドアの開閉を制御することにより、閉鎖空間を密閉状態または半密閉状態にする。
【００９６】
図３３に図２９〜図３２に示す第１０実施形態による熱エネルギー放出装置の上面図を示す。
図３３に示すように、第１０実施形態による熱エネルギー放出装置では、共同利用する他方のパイプ３０１の底部は、放射状に展開する個別のバイパスマニホルドを備え、個別に屈折部１０８へ通じる。更に個別の屈折部１０８は、垂直に設置する加熱器１０１へ通じる。また加熱器１０１は、垂直に設置する一方のパイプ４０１を経て、流体出入口４０１１へ通じる。
【００９７】
（第１１実施形態）
図３４に本発明の第１１実施形態による熱エネルギー放出装置の模式図を示す。
【００９８】
図３４に示す主な構成は次の通りである。
第１１実施形態による熱エネルギー放出装置は、円弧状の他方のパイプ３０１を備える。その底部は屈折部１０８を備え、自然蓄熱体１００に設置される上方に向って傾斜する加熱器１０１へ通じる。更に加熱器１０１にある流体出入口１０１２と一方のパイプ４０１にある流体出入口４０１２を連結し、及び円弧状の一方のパイプ４０１の熱交換流体１０４にある流体出入口４０１１と他方のパイプ３０１の熱交換流体１０４にある流体出入口３０１２との間に密閉状態の閉鎖空間を形成するカバー２１１を備える。カバー２１１は、自然蓄熱体１００の外部空間１０３を一部区画し、熱交換流体１０４を誘導する。
【００９９】
図３５に第１１実施形態による熱エネルギー放出装置の変形例の模式図を示す。変形例は、円弧状の一方のパイプ４０１の熱交換流体１０４にある流体出入口４０１１と他方のパイプ３０１の熱交換流体１０４にある流体出入口３０１２との間に半密閉状態の閉鎖空間とカバー２１２を備える。
【０１００】
図３５に示す主な構成は次の通りである。
第１１実施形態による熱エネルギー放出装置は、円弧状の他方のパイプ３０１を備える。その底部は弧状の屈折部１０８を備え、自然蓄熱体１００に設置される上方に向って傾斜する加熱器１０１へ通じる。更に加熱器１０１にある流体出入口１０１２を一方のパイプ４０１にある流体出入口４０１２と連結し、円弧状の一方のパイプ４０１の熱交換流体１０４にある流体出入口４０１１と他方のパイプ３０１の熱交換流体１０４にある流体出入口３０１２との間に半密閉状態の閉鎖空間とカバー２１２を備える。カバー２１２は、自然蓄熱体１００の外部空間１０３を一部区画したり、熱交換流体１０４を誘導したり、カバー２１２の外部と流体を交換する。
【０１０１】
図３６に第１１実施形態による熱エネルギー放出装置の異なる変形例の模式図を示す。変形例は、円弧状の一方のパイプ４０１の熱交換流体１０４にある流体出入口４０１１と他方のパイプ３０１の熱交換流体１０４にある流体出入口３０１２との間に、ドア部を有する閉鎖空間とカバー２１３を備える。
【０１０２】
図３６に示す主な構成は次の通りである。
第１１実施形態による熱エネルギー放出装置は、円弧状の他方のパイプ３０１を備える。その底部は屈折部１０８を備え、自然蓄熱体１００に設置される上方に向って傾斜する加熱器１０１へ通じる。更に加熱器１０１にある流体出入口１０１２と一方のパイプ４０１にある流体出入口４０１２を連結し、円弧状の一方のパイプ４０１の熱交換流体１０４にある流体出入口４０１１と他方のパイプ３０１の熱交換流体１０４にある流体出入口３０１２との間にドア部を有し閉鎖空間を形成するカバー２１３を備える。カバー２１３は、自然蓄熱体１００の外部空間１０３を一部区画し、熱交換流体１０４を誘導する。ドア部を有するカバー２１３は、ドアの開閉を制御することにより、閉鎖空間を密閉状態または半密閉状態にする。
【０１０３】
（第１２実施形態）
図３７に本発明の第１２実施形態による熱エネルギー放出装置の模式図を示す。
【０１０４】
図３７に示す主な構成は次の通りである。
第１２実施形態による熱エネルギー放出装置は、円弧状の他方のパイプ３０１を備え、少なくとも二個の熱エネルギー放出装置の他方のパイプ３０１を自然蓄熱体１００に交差するように設置する。各熱エネルギー放出装置の底部は屈折部１０８を備え、自然蓄熱体１００の中に設置される上方に向って傾斜する加熱器１０１へ通じる。更に加熱器１０１にある流体出入口１０１２と一方のパイプ４０１にある流体出入口４０１２を連結し、円弧状の一方のパイプ４０１の熱交換流体１０４にある流体出入口４０１１と他方のパイプ３０１の熱交換流体１０４にある流体出入口３０１２との間に密閉状態の閉鎖空間を形成するカバー２１１を備える。カバー２１１は、自然蓄熱体１００の外部空間１０３の一部を区画し、熱交換流体１０４を誘導する。
【０１０５】
図３８に第１２実施形態による熱エネルギー放出装置の変形例の模式図を示す。変形例は、円弧状の一方のパイプ４０１の熱交換流体１０４にある流体出入口４０１１と他方のパイプ３０１の熱交換流体１０４にある流体出入口３０１２との間に、半密閉状態の閉鎖空間とカバー２１２を備える。
【０１０６】
図３８に示す主な構成は次の通りである。
第１２実施形態による熱エネルギー放出装置は、円弧状の他方のパイプ３０１を備え、少なくとも二個の熱エネルギー放出装置の他方のパイプ３０１を自然蓄熱体１００に交差するように設置する。各熱エネルギー放出装置の底部は屈折部１０８を備え、自然蓄熱体１００の中に設置される上方に向って傾斜する加熱器１０１へ通じる。更に加熱器１０１にある流体出入口１０１２と一方のパイプ４０１にある流体出入口４０１２とを連結し、円弧状の一方のパイプ４０１の熱交換流体１０４にある流体出入口４０１１と他方のパイプ３０１の熱交換流体１０４にある流体出入口３０１２との間に半密閉状態の閉鎖空間を形成するカバー２１２を備える。カバー２１２は、自然蓄熱体１００の外部空間１０３を一部区画したり、熱交換流体１０４を誘導したり、カバー２１２の外部と流体を交換する。
【０１０７】
図３９に第１２実施形態による熱エネルギー放出装置の異なる変形例の模式図を示す。変形例は、円弧状の一方のパイプ４０１の熱交換流体１０４にある流体出入口４０１１と他方のパイプ３０１の熱交換流体１０４にある流体出入口３０１２との間にドア部を有する閉鎖空間を形成するカバー２１３を備える。
【０１０８】
図３９に示す主な構成は次の通りである。
第１２実施形態による熱エネルギー放出装置は、円弧状の他方のパイプ３０１を備え、少なくとも二個の熱エネルギー放出装置の他方のパイプ３０１を自然蓄熱体１００に交差するように設置する。各熱エネルギー放出装置の底部は屈折部１０８を備え、自然蓄熱体１００の中に設置される上方に向って傾斜する加熱器１０１へ通じる。更に加熱器１０１にある流体出入口１０１２と一方のパイプ４０１にある流体出入口４０１２とを連結し、円弧状の一方のパイプ４０１の熱交換流体１０４にある流体出入口４０１１と他方のパイプ３０１の熱交換流体１０４にある流体出入口３０１２との間に、ドア部を有し閉鎖空間を形成するカバー２１３を備える。カバー２１３は、自然蓄熱体１００の外部空間１０３の一部を区画し、熱交換流体１０４を誘導する。ドア部を有するカバー２１３は、ドアの開閉を制御することにより、閉鎖空間を密閉状態または半密閉状態にする。
【０１０９】
図４０に図３７〜図３９に示す第１２実施形態による熱エネルギー放出装置の上面図を示す。
図４０にその中の各組の熱エネルギー放出装置の加熱器１０１は、自然蓄熱体１００の中に交差するように設置し、また両端は他方のパイプ３０１と一方のパイプ４０１を経て、自然蓄熱体１００の外部空間１０３の中まで延伸することを示す。
【０１１０】
（第１３実施形態）
図４１に本発明の第１３実施形態による熱エネルギー放出装置の模式図を示す。
【０１１１】
図４１に示す主な構成は次の通りである。
第１３実施形態による熱エネルギー放出装置は、円弧状の他方のパイプ３０１を備え、少なくとも二個の熱エネルギー放出装置の一方のパイプ４０１を自然蓄熱体１００に交差するように設置する。各熱エネルギー放出装置の底部は屈折部１０８を備え、自然蓄熱体１００の中に設置される上方に向って傾斜する加熱器１０１へ通じる。更に加熱器１０１にある流体出入口１０１２と一方のパイプ４０１にある流体出入口４０１２とを連結し、円弧状の一方のパイプ４０１の熱交換流体１０４にある流体出入口４０１１と他方のパイプ３０１の熱交換流体１０４にある流体出入口３０１２との間に密閉状態の閉鎖空間を形成するカバー２１１を備える。カバー２１１は、自然蓄熱体１００の外部空間１０３を一部区画し、熱交換流体１０４を誘導する。
【０１１２】
図４２に本発明の第１３実施形態による熱エネルギー放出装置の変形例の模式図を示す。変形例は、円弧状の一方のパイプ４０１の熱交換流体１０４にある流体出入口４０１１と他方のパイプ３０１の熱交換流体１０４にある流体出入口３０１２との間に半密閉状態の閉鎖空間を形成するカバー２１２を備える。
【０１１３】
図４２に示す主な構成は次の通りである。
第１３実施形態による熱エネルギー放出装置は、円弧状の他方のパイプ３０１を備え、少なくとも二個の熱エネルギー放出装置の一方のパイプ４０１を自然蓄熱体１００に交差するように設置する。各熱エネルギー放出装置の底部は屈折部１０８を備え、自然蓄熱体１００の中に設置される上方に向って傾斜する加熱器１０１へ通じる。更に加熱器１０１にある流体出入口１０１２と一方のパイプ４０１にある流体出入口４０１２とを連結し、円弧状の一方のパイプ４０１の熱交換流体１０４にある流体出入口４０１１と他方のパイプ３０１の熱交換流体１０４にある流体出入口３０１２との間に半密閉状態の閉鎖空間とカバー２１２を備える。カバー２１２は、自然蓄熱体１００の外部空間１０３を一部区画したり、熱交換流体１０４を誘導したり、カバー２１２の外部と流体を交換する。
【０１１４】
図４３に本発明の第１３実施形態による熱エネルギー放出装置の異なる変形例の模式図を示す。変形例は、円弧状の一方のパイプ４０１の熱交換流体１０４にある流体出入口４０１１と他方のパイプ３０１の熱交換流体１０４にある流体出入口３０１２との間にドア部を有し閉鎖空間を形成するカバー２１３を備える。
【０１１５】
図４３に示す主な構成は次の通りである。
第１３実施形態による熱エネルギー放出装置は、円弧状の他方のパイプ３０１を備え、少なくとも二個の熱エネルギー放出装置の一方のパイプ４０１を自然蓄熱体１００に交差するように設置する。各熱エネルギー放出装置の底部は屈折部１０８を備え、自然蓄熱体１００の中に設置される上方に向って傾斜する加熱器１０１へ通じる。更に加熱器１０１にある流体出入口１０１２と一方のパイプ４０１にある流体出入口４０１２とを連結し、円弧状の他方のパイプ４０１の熱交換流体１０４にある流体出入口４０１１と他方のパイプ３０１の熱交換流体１０４にある流体出入口３０１２との間にドア部を有し閉鎖空間を形成するカバー２１３を備える。カバー２１３は、自然蓄熱体１００の外部空間１０３を一部区画し、熱交換流体１０４を誘導する。ドア部を有するカバー２１３は、ドアの開閉を制御することにより、閉鎖空間を密閉状態または半密閉状態にする。
【０１１６】
図４４に図４１〜図４３に示す第１３実施形態による熱エネルギー放出装置の上面図を示す。
第１３実施形態による熱エネルギー放出装置の加熱器１０１は、自然蓄熱体１００の中に交差するように設置し、両端は他方のパイプ３０１と一方のパイプ４０１を経て自然蓄熱体１００の外部空間１０３まで延伸するように設けられる。
【０１１７】
（第１４実施形態）
図４５に本発明の第１４実施形態による熱エネルギー放出装置の模式図を示す。第１４実施形態による熱エネルギー放出装置は、整備用入口２５０と整備用梯子２５１を設ける。
【０１１８】
図４５に示す主な構成は次の通りである。
第１４実施形態による熱エネルギー放出装置は、大型化において作業員が整備するために、進入することを考慮し、更に一歩進んで、整備作業員や器材が出入りするために、整備用入口２５０と整備用梯子２５１を設置する。
整備用入口２５０は、他方のパイプ３０１または一方のパイプ４０１の二者またはその中の一つに設置され、また開閉できる扉または蓋を備える。
整備用梯子２５１は、作業員がよじ登るまたは歩くために、他方のパイプ３０１または一方のパイプ４０１の二者の管壁内部に沿って、及び屈折部１０８を跨る梯子である。
【０１１９】
（第１５実施形態）
前述した第１実施形態による熱エネルギー放出装置を更に一歩進ませ、同時に加熱器１０１、他方のパイプ３０１、一方のパイプ４０１によって構成される一部が還流するオープンループ流路に、補助液体ポンプ１０７を連続的に設置することにより、補助液体ポンプ１０７の制御を主動的に行い、正方向にポンピングさせたり、逆方向にポンピングさせたり、または作動を停止させる。
【０１２０】
図４６に加熱器１０１、一方のパイプ４０１によって構成される流路セグメントの内部に補助液体ポンプ１０７を設置する第１５実施形態による熱エネルギー放出装置の断面図を示す。
【０１２１】
図４６に基づいて熱エネルギー放出装置を以下に説明する。
補助液体ポンプ１０７は、電源コード１１８を通して外部から電気エネルギーを送り込み、モータに駆動される液体ポンプまたは自然力に駆動される液体ポンプを駆動する。上述したオープンループの流路を連続的に設置することにより、熱交換流体１０４を圧送する。補助液体ポンプ１０７を一方向にポンピングさせ、またはポンピングの方向、電源オン／オフ、変速、ポンピングボリューム制御を選択することを含む。
【０１２２】
補助液体ポンプ１０７の稼動機能は下記を含む。
補助液体ポンプ１０７を起動しないようにし、熱交換流体１０４が冷却による液化または加熱による気化により循環する。または補助液体ポンプ１０７の制御を主動的に行い、作動を停止させることにより、正方向にポンピングさせる。また、冷却により液化または加熱により気化する熱交換流体１０４が流れる方向と同じ方向の補助ポンプとする。または補助液体ポンプ１０７の制御を主動的に行い、逆方向にポンピングする。また熱交換流体１０４の流れる方向と逆方向にポンピングし、熱交換流体１０４を逆方向に圧送し、冷却による液化または加熱による気化を行う。
【０１２３】
（第１６実施形態）
前述した第１５実施形態の熱エネルギー放出装置を更に一歩進ませ、一個または一個以上の温度調節補助装置１１５を設置し、放熱器２０１が自然蓄熱体１００の外部空間１０３に対して伝播する熱エネルギーを増やす。
【０１２４】
図４７に加熱器１０１と一方のパイプ４０１によって構成される流路セグメントの内部または外部に温度調節補助装置１１５を設置する第１６実施形態による熱エネルギー放出装置の断面図を示す。
【０１２５】
図４７に基づいて熱エネルギー放出装置を以下に説明する。
温度調節補助装置１１５は、電源コード１１６により供給される電気エネルギーで駆動され、電気エネルギーを熱エネルギーに変換する電熱装置によって構成される。または電気エネルギーを熱エネルギーに変換し、または電気エネルギーを冷エネルギーに変換する温度調節装置によって構成されることを含む。または電気エネルギーを熱エネルギーに変換し、または冷却する半導体チップによって構成される。第１６実施形態による熱エネルギー放出装置の流路の中に、冷却により液化または加熱により気化する熱交換流体１０４の運動エネルギーに協力し、かつ相対的に熱交換流体１０４の流動の邪魔にならない位置に設置される。その設置方式は以下の一種または一種以上の方式を含む。
１．オープンループの流路の中に固定設置する。
２．一方のパイプ４０１、加熱器１０１の中にランダムに設置する。
３．導熱材料により構成される一部が還流するオープンループの流路の外部を取り囲むかまたは局部に設置し、間接的に流路内部の熱交換流体１０４に対して加温または冷却する。
【０１２６】
（第１７実施形態）
図４８に加熱器１０１と一方のパイプ４０１によって構成される流路セグメントの内部に補助液体ポンプ１０７を設置し、及び内部または外部に温度調節補助装置１１５を設置する第１８実施形態による熱エネルギー放出装置の断面図を示す。
【０１２７】
図４８に基づいて熱エネルギー放出装置を以下に説明する。
補助液体ポンプ１０７は、電源コード１１８を通して、外部から電気エネルギーを送り込み、モータに駆動される液体ポンプまたは自然力に駆動される液体ポンプを駆動する。上述したオープンループの流路に連続的に設置することにより、熱交換流体１０４を圧送する。補助液体ポンプ１０７を固定に一方向にポンピングさせ、またはポンピングの方向、電源オン／オフ、変速、ポンピングボリューム制御を選択することを含む。
【０１２８】
補助液体ポンプ１０７の稼動機能は下記を含む。
補助液体ポンプ１０７を起動しないようにし、熱交換流体１０４が冷却による液化または加熱による気化により循環する。または補助液体ポンプ１０７の制御を主動的に行い、正方向にポンピングさせる。また、冷却により液化または加熱により気化する熱交換流体１０４が流れる方向と同じ方向の補助ポンプとする。または補助液体ポンプ１０７の制御を主動的に行い、逆方向にポンピングする。また、冷却により液化または加熱により気化する熱交換流体１０４が流れる方向と逆方向にポンピングし、熱交換流体１０４を逆方向に圧送し、冷却による液化または加熱による気化を行う。
【０１２９】
温度調節補助装置１１５は、電源コード１１６により供給する電気エネルギーに駆動され、電気エネルギーを熱エネルギーに変換する電熱装置によって構成される。または電気エネルギーを熱エネルギーに変換し、または電気エネルギーを冷エネルギーに変換する温度調節装置によって構成されることを含む。または電気エネルギーを熱エネルギーに変換し、または冷却する半導体チップによって構成され、第１７実施形態による熱エネルギー放出装置の流路の中に、冷却により液化または加熱により気化する熱交換流体１０４の運動エネルギーに協力し、かつ相対的に熱交換流体１０４の流動の邪魔にならない位置に設置される。その設置方式は以下の一種または一種以上の方式を含む。
１．オープンループの流路の中に固定設置する。
２．一方のパイプ４０１、加熱器１０１の中にランダムに設置する。
３．導熱材料により構成される一部が還流するオープンループの流路の外部を取り囲むまたは局部に設置し、間接的に流路内部の熱交換流体１０４に対して加温または冷却する。
【０１３０】
（第１８実施形態）
第１７実施形態による熱エネルギー放出装置を更に一歩進ませ、補助液体ポンプ１０７、温度調節補助装置１１５の二者またはその中の一つを設置し、及び熱交換流体温度検出器ＴＳ２０１、周囲温度センサＴＳ２０２の二者またはその中の一つを設置し、その中の補助液体ポンプ１０７、温度調節補助装置１１５、熱交換流体温度検出器ＴＳ２０１、周囲温度センサＴＳ２０２は、人力による読み取りを通して、送電状態を制御し、または電気エネルギー制御装置ＥＣＵ２００を設置することにより、送電状態を制御する。
【０１３１】
図４９に電気エネルギー制御装置ＥＣＵ２００と熱交換流体温度検出器ＴＳ２０１と周囲温度センサＴＳ２０２を設置することにより、補助液体ポンプ１０７を制御する第１８実施形態による熱エネルギー放出装置の断面図を示す。
【０１３２】
図４９の中の一部が還流するオープンループの流路に設置される一個または一個以上の熱交換流体温度検出器ＴＳ２０１を通して、また信号伝送用ケーブル１２０を通して、熱交換流体の温度の測定値が電気エネルギー制御装置ＥＣＵ２００に送られ、及び周囲温度センサＴＳ２０２を設置し、信号伝送用ケーブル１２０を通して、温度測定信号を電気エネルギー制御装置ＥＣＵ２００にフィードバックさせ、また電気エネルギー制御装置ＥＣＵ２００により内部設定と熱交換流体温度検出器ＴＳ２０１と周囲温度センサＴＳ２０２のフィードバック信号を参照することによって、補助液体ポンプ１０７の送電開始時期、圧送流量の大きさおよび流れの方向を制御する。
【０１３３】
第１８実施形態による熱エネルギー放出装置を以下に説明する。
電気エネルギー制御装置ＥＣＵ２００は、電子部品または電子回路部品、またはマイクロプロセッサ及び関連ソフトウェアによって構成される。内部に起動パラメータが設定されることによって、熱交換流体温度検出器ＴＳ２０１、周囲温度センサＴＳ２０２が出力する信号を参照し、補助液体ポンプ１０７に対して、送電開始時期、圧送流量の大きさおよび流れの方向を制御する。
【０１３４】
熱交換流体温度検出器ＴＳ２０１、周囲温度センサＴＳ２０２は、一個または一個以上の温度変化をアナログまたはデジタル電気エネルギー信号に変換する温度検出器によって構成される。一部が還流するオープンループの流路に選定する温度検知点または周囲温度検知点に設置され、信号伝送用ケーブル１２０により信号が電気エネルギー制御装置ＥＣＵ２００に送られる。
上述した周囲温度センサＴＳ２０２はニーズによって、設置または設置しないことを選択することができる。
【０１３５】
図５０に電気エネルギー制御装置ＥＣＵ２００と熱交換流体温度検出器ＴＳ２０１と周囲温度センサＴＳ２０２を設置することにより、温度調節補助装置１１５を制御する第１８実施形による熱エネルギー放出装置の変形例の断面図を示す。
【０１３６】
図５０に示す一部が還流するオープンループの流路に設置される一個または一個以上の熱交換流体温度検出器ＴＳ２０１を通して、また信号伝送用ケーブル１２０を通して、熱交換流体の温度の測定値が電気エネルギー制御装置ＥＣＵ２００に送られる。周囲温度センサＴＳ２０２を設置し、信号伝送用ケーブル１２０を通して、温度測定信号を電気エネルギー制御装置ＥＣＵ２００にフィードバックさせる。電気エネルギー制御装置ＥＣＵ２００により内部設定と熱交換流体温度検出器ＴＳ２０１と周囲温度センサＴＳ２０２のフィードバック信号を参照することによって、温度調節補助装置１１５の送電開始時期、圧送流量の大きさおよび流れの方向を制御する。
【０１３７】
第１８実施形による熱エネルギー放出装置の変形例を以下に説明する。
電気エネルギー制御装置ＥＣＵ２００は、電子部品または電子回路部品、またはマイクロプロセッサ及び関連ソフトウェアによって構成される。内部に起動パラメータが設定されることによって、熱交換流体温度検出器ＴＳ２０１、周囲温度センサＴＳ２０２から来る信号を参照し、温度調節補助装置１１５に対して、送電時の熱発生時期と熱量を制御する。
【０１３８】
熱交換流体温度検出器ＴＳ２０１、周囲温度センサＴＳ２０２は、一個または一個以上の温度変化をアナログまたはデジタル電気エネルギー信号に変換する温度検出器によって構成される。一部が還流するオープンループの流路に選定する温度検知点または周囲温度検知点に設置され、信号伝送用ケーブル１２０により信号が電気エネルギー制御装置ＥＣＵ２００に送られる。
上述した周囲温度センサＴＳ２０２はニーズによって、設置または設置しないことを選択することができる。
【０１３９】
図５１に電気エネルギー制御装置ＥＣＵ２００と熱交換流体温度検出器ＴＳ２０１と周囲温度センサＴＳ２０２を設置することにより、補助液体ポンプ１０７及び温度調節補助装置１１５を制御する第１８実施形態による熱エネルギー放出装置の異なる変形例の断面図を示す。
【０１４０】
図５１に示す一部が還流するオープンループの流路に設置される一個または一個以上の熱交換流体温度検出器ＴＳ２０１を通して、また信号伝送用ケーブル１２０を通して、熱交換流体の温度の測定値が電気エネルギー制御装置ＥＣＵ２００に送られる。周囲温度センサＴＳ２０２を設置し、信号伝送用ケーブル１２０を通して、温度測定信号を電気エネルギー制御装置ＥＣＵ２００にフィードバックさせる。電気エネルギー制御装置ＥＣＵ２００により内部設定と熱交換流体温度検出器ＴＳ２０１と周囲温度センサＴＳ２０２のフィードバック信号を参照することによって、補助液体ポンプ１０７の送電開始時期および圧送流量の大きさと圧送の流れ方向を制御し、及び温度調節補助装置１１５に対して、送電時の熱発生時期および熱価を制御する。
【０１４１】
第１８実施形態による熱エネルギー放出装置の異なる変形例を以下に説明する。
電気エネルギー制御装置ＥＣＵ２００は、電子部品または電子回路部品、またはマイクロプロセッサ及び関連ソフトウェアによって構成される。内部に起動パラメータが設定されることによって、熱交換流体温度検出器ＴＳ２０１、周囲温度センサＴＳ２０２から来る信号を参照し、補助液体ポンプ１０７に対して、送電開始時期と圧送流量の大きさおよび圧送の流れ方向を制御し、及び温度調節補助装置１１５に対して、送電時の熱発生時期および熱量を制御する。
【０１４２】
熱交換流体温度検出器ＴＳ２０１、周囲温度センサＴＳ２０２は、一個または一個以上の温度変化をアナログまたはデジタル電気エネルギー信号に変換する温度検出器によって構成される。一部が還流するオープンループの流路に選定する温度検知点または周囲温度検知点に設置され、信号伝送用ケーブル１２０により信号を電気エネルギー制御装置ＥＣＵ２００に送られる。
上述した周囲温度センサＴＳ２０２はニーズによって、設置または設置しないことを選択することができる。
【０１４３】
本発明の熱エネルギー放出装置は、固体、または気体、または液体に対するエネルギー放出への応用を含む。その中の密閉状態の閉鎖空間とカバー２１１、半密閉状態の閉鎖空間とカバー２１２、ドア部を有する閉鎖空間とカバー２１３に覆われる自然蓄熱体１００の外部空間１０３は、路面、建物の屋上、壁、床、更に気体の自然蓄熱体１００の外部空間１０３、例えば温室内空気、または家屋内空気、または液体の自然蓄熱体１００の外部空間１０３、例えば池中または槽の中、または容器内の液体、または加温または耐寒防凍の設施または構造体を含む。
【符号の説明】
【０１４４】
１００：自然蓄熱体、
１０１：加熱器、
１０３：外部空間、
１０４：熱交換流体、
１０７：補助液体ポンプ、
１０８：屈折部、
１０９：断熱体、
１１５：温度調節補助装置、
１１６、１１８：電源コード、
１２０：信号伝送用ケーブル、
１０１０：流体出入口カバー部、
１０１１、１０１２、３０１１、３０１２、４０１１、４０１２：流体出入口、
ＥＣＵ２００：電気エネルギー制御装置、
ＴＳ２０１：熱交換流体温度検出器、
ＴＳ２０２：周囲温度センサ、
２０１：カバー、
２１１：カバー、
２１２：カバー、
２１３：カバー、
２５０：整備用入口、
２５１：整備用梯子、
３０１：他方のパイプ、
４０１：一方のパイプ。
【図１】
0006694228.tif 000002
【図２】
0006694228.tif 000003
【図３】
0006694228.tif 000004
【図４】
0006694228.tif 000005
【図５】
0006694228.tif 000006
【図６】
0006694228.tif 000007
【図７】
0006694228.tif 000008
【図８】
0006694228.tif 000009
【図９】
0006694228.tif 000010
【図１０】
0006694228.tif 000011
【図１１】
0006694228.tif 000012
【図１２】
0006694228.tif 000013
【図１３】
0006694228.tif 000014
【図１４】
0006694228.tif 000015
【図１５】
0006694228.tif 000016
【図１６】
0006694228.tif 000017
【図１７】
0006694228.tif 000018
【図１８】
0006694228.tif 000019
【図１９】
0006694228.tif 000020
【図２０】
0006694228.tif 000021
【図２１】
0006694228.tif 000022
【図２２】
0006694228.tif 000023
【図２３】
0006694228.tif 000024
【図２４】
0006694228.tif 000025
【図２５】
0006694228.tif 000026
【図２６】
0006694228.tif 000027
【図２７】
0006694228.tif 000028
【図２８】
0006694228.tif 000029
【図２９】
0006694228.tif 000030
【図３０】
0006694228.tif 000031
【図３１】
0006694228.tif 000032
【図３２】
0006694228.tif 000033
【図３３】
0006694228.tif 000034
【図３４】
0006694228.tif 000035
【図３５】
0006694228.tif 000036
【図３６】
0006694228.tif 000037
【図３７】
0006694228.tif 000038
【図３８】
0006694228.tif 000039
【図３９】
0006694228.tif 000040
【図４０】
0006694228.tif 000041
【図４１】
0006694228.tif 000042
【図４２】
0006694228.tif 000043
【図４３】
0006694228.tif 000044
【図４４】
0006694228.tif 000045
【図４５】
0006694228.tif 000046
【図４６】
0006694228.tif 000047
【図４７】
0006694228.tif 000048
【図４８】
0006694228.tif 000049
【図４９】
0006694228.tif 000050
【図５０】
0006694228.tif 000051
【図５１】
0006694228.tif 000052